(57)【要約】【課題】本発明は、マスタースレーブという相互関係ではなく双方の機能を融合したユーザにとって利便性の高い電子機器システムを提案する。【解決手段】本発明におけるカーＡＶ装置２は、ポータブルＮＶ装置３との間で有線又は無線により相互通信を行うＰＩＮケーブル４と、当該ＰＩＮケーブル４を介して上記ポータブルＮＶ装置３から与えられる命令を認識し、当該認識した命令に従い、自身が持つ機能を用いてポータブルＮＶ装置３が行う処理を代行する制御マイコン２１とを設けるようにする。【選択図】図３
2008228092.tif 000002
【特許請求の範囲】
【請求項１】
相互に独立した第１電子機器及び第２電子機器が有線又は無線により接続されてなる電子機器システムであって、
上記第１電子機器は、
上記第２電子機器との間で相互通信を行う第１通信手段と、
上記第１通信手段を介して上記第２電子機器から与えられる命令を認識する第１認識手段と、
上記第１認識手段が認識した上記命令に従い、当該第１電子機器が持つ機能を用いて上記第２電子機器が行う処理を代行する第１処理手段と
を具え、
上記第２電子機器は、
上記第１電子機器との間で相互通信を行う第２通信手段と、
上記第２通信手段を介して上記第１電子機器から与えられる命令を認識する第２認識手段と、
上記第２認識手段が認識した上記命令に従い、当該第２電子機器が持つ機能を用いて上記第１電子機器が行う処理を代行する第２処理手段と
を具えることを特徴とする電子機器システム。
【請求項２】
上記第１電子機器は、
所定の第１入力インタフェースを有し、上記第２電子機器において上記第２処理手段が行う上記処理に対する上記命令を上記第１入力インタフェースで受け付けられるようにその機能を切り換える第１機能切換手段
を具え、
上記第２電子機器は、
所定の第２入力インタフェースを有し、上記第１電子機器において上記第１処理手段が行う上記処理に対する上記命令を上記第２入力インタフェースで受け付けられるようにその機能を切り換える第２機能切換手段
を具えることを特徴とする請求項１に記載の電子機器システム。
【請求項３】
上記第１電子機器は、オーディオ装置又はオーディオビデオ装置であり、
上記第２電子機器は、ポータブルナビゲーション装置又は携帯電話機である
ことを特徴とする請求項１に記載の電子機器システム。
【請求項４】
相手機器との間で有線又は無線により相互通信を行う通信手段と、
上記通信手段を介して上記相手機器から与えられる命令を認識する認識手段と、
上記認識手段が認識した上記命令に従い、自身が持つ機能を用いて上記相手機器が行う処理を代行する処理手段と
を具えることを特徴とする電子機器。
【請求項５】
上記電子機器は、
所定の入力インタフェースを有し、上記相手機器が行う上記処理に対する上記命令を上記入力インタフェースで受け付けられるようにその機能を切り換える機能切換手段
を具えることを特徴とする請求項４に記載の電子機器。
【請求項６】
相手機器との間で所定の通信手段により有線又は無線により相互通信を行う通信ステップと、
上記通信ステップで上記相手機器から与えられる命令を所定の認識手段により認識する命令認識ステップと、
上記命令認識ステップで認識した上記命令に従い、自身が持つ機能を用いて上記相手機器が行う処理を代行する代行処理ステップと
を具えることを特徴とする処理方法。
【請求項７】
所定の電子機器に対して、
相手機器との間で所定の通信手段により有線又は無線により相互通信を行う通信ステップと、
上記通信ステップで上記相手機器から与えられる命令を所定の認識手段により認識する命令認識ステップと、
上記命令認識ステップで認識した上記命令に従い、自身が持つ機能を用いて上記相手機器が行う処理を代行する代行処理ステップと
を実行させる処理プログラム。
【発明の詳細な説明】
【技術分野】
【０００１】
本発明は、電子機器システム、電子機器、処理方法及び処理プログラムに関し、例えばカーオーディオビデオ装置（以下、これをカーＡＶ装置と呼ぶ）とポータブルナビゲーション装置（以下、これをポータブルＮＶ装置と呼ぶ）とを接続することにより構成された電子機器システムに適用して好適なものである。
【背景技術】
【０００２】
従来、カーＡＶ装置と、携帯電話機にナビゲーション機能が搭載されたようなポータブルＮＶ装置との連携手法としては、ポータブルＮＶ装置のナビゲーション操作をカーＡＶ装置で行うことに特化したものが一般的である。
【０００３】
また、カーＡＶ装置とポータブルＮＶ装置との接続手法としても、カーＡＶ装置に備え付けられたクレードルに対してポータブルＮＶ装置を機械的に結合するか、或いはカーＡＶ装置自身がポータブルＮＶ装置を取り込むスペースを持ち、そこにポータブルＮＶ装置を機械的に結合させて取り込むしか方法がなかった。
【０００４】
この場合、カーＡＶ装置とポータブルＮＶ装置とが接続されたとき、カーＡＶ装置がマスターとなり、ポータブルＮＶ装置がスレーブとなって、カーＡＶ装置からポータブルＮＶ装置のナビゲーション操作を行うようになされている。
【０００５】
このようなカーＡＶ装置とポータブルＮＶ装置との接続手法とは異なるが、ポータブル装置が保持するコンテンツを他のポータブル装置へ転送し、当該コンテンツを相互に共有するためのシステム（例えば、特許文献１参照）や、ネットワーク上に存在する複数の制御可能機器からのレスポンスにより制御する機器を特定し、その結果をＧＵＩ表示するリモコン（例えば、特許文献２）がある。
【特許文献１】特表2006-518507公報
【特許文献２】特開2006-345479公報
【発明の開示】
【発明が解決しようとする課題】
【０００６】
ところで、上述したように、カーＡＶ装置とポータブルＮＶ装置とが接続された場合、カーＡＶ装置がマスターとなり、ポータブルＮＶ装置がスレーブとなって、カーＡＶ装置からポータブルＮＶ装置のナビゲーション操作を行うだけであって、カーＡＶ装置及びポータブルＮＶ装置双方の機能を有効活用して利便性を向上させることは出来ないうえ、カーＡＶ装置及びポータブルＮＶ装置を同時購入しなければ機能しないという制約もあった。
【０００７】
本発明は以上の点を考慮してなされたもので、マスタースレーブという相互関係ではなく双方の機能を融合したユーザにとって利便性の高い電子機器システム、電子機器、処理方法及び処理プログラムを提案しようとするものである。
【課題を解決するための手段】
【０００８】
かかる課題を解決するため本発明の電子機器システムにおいては、相互に独立した第１電子機器及び第２電子機器が有線又は無線により接続されてなる電子機器システムであって、第１電子機器は、第２電子機器との間で相互通信を行う第１通信手段と、当該第１通信手段を介して第２電子機器から与えられる命令を認識する第１認識手段と、当該第１認識手段が認識した命令に従い、当該第１電子機器が持つ機能を用いて第２電子機器が行う処理を代行する第１処理手段とを設け、第２電子機器は、第１電子機器との間で相互通信を行う第２通信手段と、当該第２通信手段を介して第１電子機器から与えられる命令を認識する第２認識手段と、当該第２認識手段が認識した命令に従い、当該第２電子機器が持つ機能を用いて第１電子機器が行う処理を代行する第２処理手段とを設けるようにする。
【０００９】
これにより、第１電子機器及び第２電子機器は、相互通信を行い、相手機器から与えられる命令を認識し、その命令に従って自身の機能により相手機器の処理を代行することができるので、マスタースレーブという相互関係ではなく双方の機能を融合したユーザインタフェースとなり、操作性を大幅に向上することができる。
【００１０】
また本発明の電子機器、処理方法及び処理プログラムにおいては、相手機器との間で有線又は無線により相互通信を行う通信手段と、当該通信手段を介して相手機器から与えられる命令を認識する認識手段と、当該認識手段が認識した命令に従い、自身が持つ機能を用いて相手機器が行う処理を代行する処理手段とを設けるようにする。
【００１１】
これにより、電子機器は、相手機器との間で相互通信を行い、その相手機器から与えられる命令を認識し、その命令に従って自身の機能により相手機器の処理を代行することができるので、マスタースレーブという相互関係ではなく相手機器の機能をも融合したユーザインタフェースとなり得、操作性を大幅に向上することができる。
【発明の効果】
【００１２】
本発明によれば、第１電子機器及び第２電子機器は、相互通信を行い、相手機器から与えられる命令を認識し、その命令に従って自身の機能により相互に処理を代行することができるので、マスタースレーブという相互関係ではなく双方の機能を融合したユーザインタフェースとなり、操作性を大幅に向上することができ、かくしてマスタースレーブという相互関係ではなく双方の機能を融合したユーザにとって利便性の高い電子機器システムを実現することができる。
【００１３】
また本発明によれば、電子機器は、相手機器との間で相互通信を行い、その相手機器から与えられる命令を認識し、その命令に従って自身の機能により相手機器の処理を代行することができるので、マスタースレーブという相互関係ではなく相手機器の機能をも融合したユーザインタフェースとなり得、操作性を大幅に向上することができ、かくしてマスタースレーブという相互関係ではなく相手機器の機能をも融合したユーザにとって利便性の高い電子機器、処理方法及び処理プログラムを実現することができる。
【発明を実施するための最良の形態】
【００１４】
以下、図面について、本発明の一実施の形態を詳述する。
【００１５】
（１）第１の実施の形態
（１−１）第１の実施の形態における電子機器システムの全体構成
図１において、１は全体として第１の実施の形態における電子機器システムを示し、車内空間に取り付けられたカーＡＶ装置２に対して、ポータブルＮＶ装置３が４極 mini ＰＩＮケーブル（以下、これを４極ＰＩＮケーブルと呼ぶ）４を介して相互に接続され、かつ当該ポータブルＮＶ装置３に対して携帯電話機５が例えばブルートゥース等のワイヤレス通信によって無線接続された構成を有している。
【００１６】
このＰＩＮケーブル４は、左チャンネルオーディオ端子Ｔ１、右チャンネルオーディオ端子Ｔ２、通信ライン端子Ｔ３及びグランド端子Ｔ４を有し、通信ライン端子Ｔ３を介してカーＡＶ装置２及びポータブルＮＶ装置３間で各種命令や、ステータス信号のやりとりを行わせると共に、左チャンネルオーディオ端子Ｔ１及び右チャンネルオーディオ端子Ｔ２を介してポータブルＮＶ装置３から供給される左チャンネル音声データ及び右チャンネル音声データ（以下、この双方を合わせて音声データと呼ぶ）をカーＡＶ装置２へ伝送するようになされている。
【００１７】
カーＡＶ装置２は、図示しない車両に取り付けられた際、その車両の車内空間的な制約等から、本体部１２の大部分がダッシュボード内に埋め込まれ、フロントパネル１３だけがダッシュボードの外部に露出するように取り付けられる。
【００１８】
図２に示すように、カーＡＶ装置２のフロントパネル１３は、前面１３Ａにユーザの操作を受け付けるための操作ボタン群１４及び当該ユーザに各種情報を提示するための例えば液晶ディスプレイでなる表示部１５が設けられており、いわゆるユーザインタフェースとして機能するようになされている。因みに、表示部１５としては、液晶ディスプレイに限るものではなく、ＦＬ(Fluorescent Lamp)管等であってもよい。
【００１９】
特に、操作ボタン群１４の中には、ボリューム調整又はラジオのチューニング調整等に用いられる回転操作可能なロータリエンコーダ等でなる所謂つまみ１４Ａが設けられており、カーＡＶ装置２では、ユーザによって選択されたモードに合わせて、つまみ１４Ａをボリューム調整に用いるのか、或いはラジオのチューニング調整に用いるのか等の機能を切り替え得るようになされている。
【００２０】
また、このフロントパネル１３は、左右両側の下方において、本体部１２から前方に突出して設けられたフロントパネル支持板１６の回転軸１６Ｘにより軸支されており、右上部に設けられたオープンボタン１５Ａがユーザによって押下操作された際、本体部１２とフロントパネル１３との係合状態が解除され、フロントパネル支持板１６の回転軸１６Ｘを中心に前下方向へ回転し、前面１３Ａが下方向を向く開いた状態（以下、これを開状態と呼ぶ）となる。
【００２１】
これに加えてフロントパネル１３は、左上部にデタッチボタン１５Ｂが設けられており、ユーザによって当該デタッチボタン１５Ｂが押下操作された際、本体部１２とフロントパネル１３との係合状態が解除されると共に、フロントパネル支持板１６とフロントパネル１３の下方との取付状態が解除され、フロントパネル１３自体が本体部１２から完全に取り外されるようになされている。
【００２２】
またカーＡＶ装置２は、フロントパネル１３を開状態にしたとき、ＣＤ(Compact Disc)メディアや、ＤＶＤ(Digital Versatile Disc)メディアを挿入又は排出するためのディスク挿入口（図示せず）が本体部１２に設けられており、ＣＤメディアが装填されたときはＣＤプレーヤとして機能し、ＤＶＤメディアが装填されたときはＤＶＤプレーヤとしても機能するようになされている。
【００２３】
このカーＡＶ装置２（図１）は、車内空間における４隅に配置されたフロント左スピーカＦＬ、フロント右スピーカＦＲ、リア左スピーカＲＬ及びリア右スピーカＲＲと接続されており、ＣＤ再生音、ＤＶＤ再生音、ラジオ放送音声、または携帯電話機５の通話音声等を４ｃｈとして出力し得るようになされている。
【００２４】
この電子機器システム１では、ポータブルＮＶ装置３と携帯電話機５との通信リンクを確立すると、その携帯電話機５のスピーカから出力すべき通話相手の音声を、ポータブルＮＶ装置３及びＰＩＮケーブル４を介してカーＡＶ装置２へ伝送し、当該カーＡＶ装置２のフロント左スピーカＦＬ、フロント右スピーカＦＲ、リア左スピーカＲＬ及びリア右スピーカＲＲから４ｃｈに拡張して出力させ得るようになされている。
【００２５】
また電子機器システム１では、ポータブルＮＶ装置３と携帯電話機５との通信リンクを確立したとき、携帯電話機５のユーザ音声を当該携帯電話機５のマイクロフォンではなく、ポータブルＮＶ装置３のマイクロフォン３Ａによって集音するように切り替え、その集音したユーザ音声を携帯電話機５によって通話相手の携帯電話機へ無線伝送し得るようになされている。
【００２６】
このように電子機器システム１では、ポータブルＮＶ装置３と携帯電話機５との通信リンクを確立したとき、カーＡＶ装置２のフロント左スピーカＦＬ、フロント右スピーカＦＲ、リア左スピーカＲＬ及びリア右スピーカＲＲから通話相手の音声を出力する一方、携帯電話機５のユーザ音声をポータブルＮＶ装置３のマイクロフォン３Ａによって集音し、これを携帯電話機５によって通話相手の携帯電話機へ無線伝送するようにしたことにより、カーＡＶ装置２及びポータブルＮＶ装置３全体をハンズフリーフォンとして機能させ得るようになされている。
【００２７】
このようにポータブルＮＶ装置３と携帯電話機５との通信リンクを確立したときに、カーＡＶ装置２及びポータブルＮＶ装置３全体をハンズフリーフォンとして機能させ得る電子機器システム１の回路構成について、次に説明する。
【００２８】
（１−２）第１の実施の形態における電子機器システムの回路構成
図３に示すように、電子機器システム１のカーＡＶ装置２は、ＣＰＵ(Central Processing Unit)構成でなる制御用マイクロコンピュータ（以下、これを制御マイコンと呼ぶ）２１がメモリ２５に格納された基本プログラム及びアプリケーションプログラムに従って動作することにより全体を統括制御すると共に各種処理を実行するようになされている。
【００２９】
実際上、カーＡＶ装置２では、操作ボタン群１４やつまみ１４Ａ（図２）を介して入力されたユーザからの命令を入力部２２によって受け付け、その命令を制御マイコン２１へ送出する。
【００３０】
カーＡＶ装置２の制御マイコン２１は、その命令に従ってＡＶコンテンツデコード部２６によりＣＤ再生処理又はＤＶＤ再生処理を行うことによって得られた音声データに対し、ＤＳＰ(Digital Signal Processor)部２７により所定のディジタル信号処理を施し、その結果得られる音声データをアンプ部３０により所定レベルに増幅した後ディジタルアナログ変換し、フロント左スピーカＦＬ、フロント右スピーカＦＲ、リア左スピーカＲＬ及びリア右スピーカＲＲからＣＤ再生音声又はＤＶＤ再生音声として出力する。
【００３１】
このときカーＡＶ装置２の制御マイコン２１は、ＡＶコンテンツデコード部２６によりＣＤ再生処理を行っているのであれば、ＣＤ再生中の楽曲タイトル、アーティスト名、再生経過時間等を表示部２３に表示し、ＡＶコンテンツデコード部２６によりＤＶＤ再生処理を行っているのであればチャプター数、ＤＶＤ再生経過時間及びＤＶＤ再生残時間等を表示部２３に表示するようになされている。
【００３２】
一方、ポータブルＮＶ装置３は、ＣＰＵ構成でなる制御マイコン３１がメモリ３６に格納された基本プログラム及びアプリケーションプログラムに従って動作することにより全体を統括制御すると共に各種処理を実行するようになされている。
【００３３】
具体的にはポータブルＮＶ装置３の制御マイコン３１は、タッチパネル入力部３４を介して入力された命令を受け付け、その命令に応じてナビゲーション部３８を動作させることにより得られたナビゲーション映像データに対して、ＤＳＰ部３７により所定のディジタル信号処理を施し、その結果得られるナビゲーション映像を表示部３３に表示するようになされている。
【００３４】
このときポータブルＮＶ装置３の制御マイコン３１は、ナビゲーション部３８を動作させることにより得られたナビゲーション音声データに対しては、オーディオ出力部４０を介して当該ポータブルＮＶ装置３自身に備え付けられたスピーカ（図示せず）から出力するようになされている。
【００３５】
またポータブルＮＶ装置３は、ＡＶコンテンツデコード部３９を有しており、メモリ部３６に格納されているＡＶコンテンツをＡＶコンテンツデコード部３９によってデコードし、その結果得られるＡＶコンテンツの音声データをオーディオ出力部４０経由で当該ポータブルＮＶ装置３自身に備え付けられたスピーカ（図示せず）から出力させ得るようになされている。
【００３６】
さらにポータブルＮＶ装置３は、例えばブルートゥース等でなる通信処理部３２を介して携帯電話機５との無線通信リンクを確立し得るようになされており、このとき制御マイコン３１はマイクロフォン３Ａによって集音したユーザの音声を通信処理部３２及び携帯電話機５を介して通話相手の携帯電話機へ無線送信したり、携帯電話機５及び通信処理部３２を介して受信した通話相手の音声データをオーディオ出力部４０からＰＩＮケーブル４の左チャンネルオーディオ端子Ｔ１及び右チャンネルオーディオ端子Ｔ２を介してカーＡＶ装置２へ送信し得るようになされている。
【００３７】
このときカーＡＶ装置２の制御マイコン２１は、オーディオ入力部２８を介してポータブルＮＶ装置３から受信した通話相手の音声データをＤＳＰ部２７によってディジタル信号処理した後、アンプ部３０を介してフロント左スピーカＦＬ、フロント右スピーカＦＲ、リア左スピーカＲＬ及びリア右スピーカＲＲから通話相手の音声として４ｃｈに拡張して出力し得るようになされている。
【００３８】
このような構成の電子機器システム１において、カーＡＶ装置２の制御マイコン２１及びポータブルＮＶ装置３の制御マイコン３１が共通の処理プログラムに従って互いに連携しながら動作することにより、カーＡＶ装置２及びポータブルＮＶ装置３によりハンズフリーフォンとして機能させるハンズフリー処理手順について以下説明する。
【００３９】
（１−３）第１の実施の形態における電子機器システムのハンズフリー処理手順
このような基本構成でなる電子機器システム１では、図４及び図５に示すように、ステップＳＰ１においてポータブルＮＶ装置３の制御マイコン３１は、ユーザの操作によりタッチパネル入力部３４を介してハンズフリーモードが選択されたことを認識すると、次のステップＳＰ２へ移る。
【００４０】
ステップＳＰ２においてポータブルＮＶ装置３の制御マイコン３１は、携帯電話機５との間の通信リンクを確立し、その携帯電話機５に記憶されている電話帳情報を読み出して自身のメモリ３６に一旦記憶し、次のステップＳＰ３へ移る。
【００４１】
ステップＳＰ３においてポータブルＮＶ装置３の制御マイコン３１は、携帯電話機５との間の通信リンクを確立したので、その旨の初期ステータス信号をＰＩＮケーブル４の通信ライン端子Ｔ３によりカーＡＶ装置２へ送信し、次のステップＳＰ４へ移る。
【００４２】
ステップＳＰ４においてカーＡＶ装置２の制御マイコン２１は、携帯電話機５との間の通信リンクを確立した旨の初期ステータス信号をポータブルＮＶ装置３から受信したので、当該カーＡＶ装置２の操作ボタン郡１４によりポータブルＮＶ装置３を介して携帯電話機５を操作可能なキー入力モードへ切り替え、次のステップＳＰ５へ移る。
【００４３】
ステップＳＰ５においてカーＡＶ装置２の制御マイコン２１は、携帯電話機５が保持している電話帳リストをポータブルＮＶ装置３の表示部３３に表示させるためのボタン操作が行われたことを認識すると、電話帳リスト表示のステータス信号をＰＩＮケーブル４の通信ライン端子Ｔ３によりポータブルＮＶ装置３へ送信し、次のステップＳＰ６へ移る。
【００４４】
ステップＳＰ６においてポータブルＮＶ装置３の制御マイコン３１は、カーＡＶ装置２の制御マイコン２１から受け取った電話帳リスト表示のステータス信号に従い、携帯電話機５から読み出してメモリ３６に保持しておいた電話帳情報を読み出し、その電話帳情報に基づいて電話帳リストを表示部３３に表示し、次のステップＳＰ７へ移る。
【００４５】
ステップＳＰ７においてカーＡＶ装置２の制御マイコン２１は、操作ボタン郡１４のつまみ１４Ａが回転操作されたことを認識すると、つまみ１４Ａが回転操作されたときの回転量を示すステータス信号をＰＩＮケーブル４の通信ライン端子Ｔ３によりポータブルＮＶ装置３へ送信し、次のステップＳＰ８へ移る。
【００４６】
ステップＳＰ８においてポータブルＮＶ装置３の制御マイコン３１は、つまみ１４Ａに対する回転操作量を示すステータス信号に応じて表示部３３に表示した電話帳リストの表示対象をスクロールすることにより切り替え、次のステップＳＰ９へ移る。
【００４７】
ステップＳＰ９においてポータブルＮＶ装置３の制御マイコン３１は、表示部３３に表示した電話帳リストのうちタッチパネル入力部３４を介してユーザに選択された電話番号を認識し、その電話番号に対して携帯電話機５により発信し、次のステップＳＰ１０へ移る。
【００４８】
ステップＳＰ１０においてポータブルＮＶ装置３の制御マイコン３１は、ハンズフリー機能準備のステータス信号をＰＩＮケーブル４の通信ライン端子Ｔ３によりカーＡＶ装置２へ送信し、次のステップＳＰ１１へ移る。
【００４９】
ステップＳＰ１１においてカーＡＶ装置２の制御マイコン２１は、ポータブルＮＶ装置３からハンズフリー機能準備のステータス信号を受信したので、当該カーＡＶ装置２の操作ボタン郡１４によりハンズフリー機能操作可能なキー入力モードへ切り替え、オーディオ入力部２８をハンズフリー動作オンモードに切り替え、ＤＳＰ部２７によるエコーキャンセル処理、音声帯域強調処理の準備を行うと共にミュート処理によりポータブルＮＶ装置３からのハンズフリー音声の入力を待機する。
【００５０】
このときステップＳＰ１２においてポータブルＮＶ装置３の制御マイコン３１は、携帯電話機５による通話相手との電話接続が確立できたか否かを判定し、否定結果が得られたときはステップＳＰ３へ戻って上述の処理を繰り返すのに対し、肯定結果が得られたときは次のステップＳＰ１３へ移る。
【００５１】
ステップＳＰ１３においてポータブルＮＶ装置３の制御マイコン３１は、マイクロフォン３Ａのマイク入力をハンズフリー用にオンし、ハンズフリー機能を実行したことを表すステータス信号をＰＩＮケーブル４の通信ライン端子Ｔ３によりカーＡＶ装置２へ送信し、次のステップＳＰ１４へ移る。
【００５２】
ステップＳＰ１４においてカーＡＶ装置２の制御マイコン２１は、ポータブルＮＶ装置３からハンズフリー機能を実行したことのステータス信号を受け取ったので、ミュート状態を解除することによりハンズフリー動作を開始し、次のステップＳＰ１５へ移る。
【００５３】
ステップＳＰ１５においてカーＡＶ装置２の制御マイコン２１は、ハンズフリー動作中に操作ボタン郡１４を介して通話オフ用のボタン操作が行われたことを認識すると、次のステップＳＰ１６へ移る。
【００５４】
ステップＳＰ１６においてカーＡＶ装置２の制御マイコン２１は、ハンズフリー動作中に通話オフ用のボタン操作が行われたので、ハンズフリー動作をオフするステータス信号をＰＩＮケーブル４の通信ライン端子Ｔ３によりポータブルＮＶ装置３へ送信し、次のステップＳＰ１７へ移る。
【００５５】
ステップＳＰ１７においてポータブルＮＶ装置３の制御マイコン３１は、カーＡＶ装置２からハンズフリー動作をオフするためのステータス信号を受け取ったので、携帯電話機５による電話接続を切断し、マイクロフォン３Ａのマイク入力をオフすることによりハンズフリー動作前の初期状態に戻し、次のステップＳＰ１８へ移ってポータブルＮＶ装置３における処理を終了する。
【００５６】
一方、ステップＳＰ１９においてカーＡＶ装置２の制御マイコン２１は、ハンズフリー動作をオフするため、オーディオ入力部２８をハンズフリー動作オフモードに切り替えることにより、ハンズフリー動作前状態に戻し、次のステップＳＰ２０へ移ってカーＡＶ装置２における処理を終了する。
【００５７】
（１−４）第１の実施の形態における動作及び効果
以上の構成において、電子機器システム１では、カーＡＶ装置２とポータブルＮＶ装置３とがＰＩＮケーブル４を介して相互通信可能な状態に接続され、ポータブルＮＶ装置３と携帯電話機５との通信リンクが確立したとき、当該ポータブルＮＶ装置３からカーＡＶ装置２へ通信リンク確立の初期ステータス信号を送信し、カーＡＶ装置２の制御マイコン２１にその初期ステータス信号を認識させることにより、当該カーＡＶ装置２の操作ボタン郡１４により携帯電話機５を外部から操作可能なキー入力モードへ切り替えさせることができる。
【００５８】
すなわち電子機器システム１では、カーＡＶ装置２の操作ボタン郡１４により携帯電話機５を外部操作し得、携帯電話機５が所持している電話帳リストをポータブルＮＶ装置３の表示部３３に表示させるための命令を、その携帯電話機５を操作することなくボタン操作のし易いカーＡＶ装置２の操作ボタン郡１４を介してユーザに代行入力させることができる。
【００５９】
このときポータブルＮＶ装置３の制御マイコン３１は、電話帳リストを表示させるためのステータス信号をカーＡＶ装置２から受け取り、そのステータス信号を認識することにより、ポータブルＮＶ装置３と携帯電話機５との通信リンクを確立した際、予め携帯電話機５から読み出してメモリ３６に記憶しておいた電話帳情報に基づいて電話帳リストを表示部３３に表示することができる。
【００６０】
すなわちポータブルＮＶ装置３の制御マイコン３１は、携帯電話機５の電話帳リストを、携帯電話機５よりも画面サイズの大きな表示部３３に表示することによって代行し、ユーザの電話帳リストに対する視認性を大幅に向上させることができる。
【００６１】
そしてポータブルＮＶ装置３は、その表示部３３に表示された電話帳リストの中からユーザに発信先の電話番号を選択させ、ハンズフリー動作を準備させるためのステータス信号をカーＡＶ装置２へ送信することにより、当該カーＡＶ装置２に対してハンズフリー動作を実行するための準備を行わせることができる。
【００６２】
従って電子機器システム１では、ポータブルＮＶ装置３のマイクロフォン３Ａによってユーザの音声を集音し、その音声データを通信処理部３２から携帯電話機５を介して通話相手へ送信する一方、当該携帯電話機５によって受信した通話相手の音声をカーＡＶ装置２の各スピーカＦＬ、ＦＲ、ＲＬ及びＲＲから出力させることにより、ハンズフリー機能を実現することができる。
【００６３】
このように電子機器システム１では、携帯電話機５に対する操作をカーＡＶ装置２に代行させ、電話帳リストの表示をポータブルＮＶ装置３に代行させ、マイク入力をポータブルＮＶ装置３に代行させ、かつ通話相手の音声出力をカーＡＶ装置２の各スピーカＦＬ、ＦＲ、ＲＬ及びＲＲに代行させることにより、携帯電話機５に代わってカーＡＶ装置２及びポータブルＮＶ装置３相互の連携によりハンズフリー動作を実行することができる。
【００６４】
以上の構成によれば、電子機器システム１ではカーＡＶ装置２及びポータブルＮＶ装置３間で各種のステータス信号を相互にやりとりし、互いの機能を連携させることにより、マスタースレーブという相互関係ではなく相手機器の機能を相互に融合したユーザインタフェースとなり得、携帯電話機５の各種機能を代行しながらカーＡＶ装置２及びポータブルＮＶ装置３によりハンズフリー機能を操作性良く実現することができる。
【００６５】
また電子機器システム１では、カーＡＶ装置２が車内空間のエアーコンディショナーの吹出口や、エアーコンディショナー操作パネル下の運転者が運転視線から目をそらすような予め決められた場所に取付固定されるのに対し、ポータブルＮＶ装置３を運転者の運転視線から大きくそらさせることのない車内空間内の任意の位置に吸盤等で取付けた状態で、カーＡＶ装置２とポータブルＮＶ装置３とを相互に連携させ、ポータブルＮＶ装置３の表示部３３を介して携帯電話機５の電話帳リストを表示させたり、その電話帳リストの中からユーザに発信先の電話番号を選択させるようにしたことにより、運転者の運転視線をそらさせることなくハンズフリー操作を実行させることができる。
【００６６】
（２）第２の実施の形態
（２−１）第２の実施の形態における電子機器システムの全体構成
図１との対応部分に同一符号を付した図６において、５１は全体として第２の実施の形態における電子機器システムを示し、車内空間に取り付けられたカーＡＶ装置５２に対して、ポータブルＮＶ装置５３がＰＩＮケーブル４を介して接続された構成を有している。
【００６７】
このＰＩＮケーブル４は、左チャンネルオーディオ端子Ｔ１、右チャンネルオーディオ端子Ｔ２、通信ライン端子Ｔ３及びグランド端子Ｔ４を有し、通信ライン端子Ｔ３を介してカーＡＶ装置５２及びポータブルＮＶ装置５３間で各種命令やステータス信号のやりとりを行わせると共に、左チャンネルオーディオ端子Ｔ１及び右チャンネルオーディオ端子Ｔ２を介してポータブルＮＶ装置５３から供給される音声データをカーＡＶ装置５２へ伝送するようになされている。
【００６８】
カーＡＶ装置５２は、図示しない車両に取り付けられた際、その車両の車内空間的な制約等から、本体部１２の大部分がダッシュボード内に埋め込まれ、フロントパネル１３だけがダッシュボードの外部に露出するように取り付けられる。因みに、フロントパネル１３の構成については、第１の実施の形態におけるカーＡＶ装置２と同様であるため、ここではその説明を省略する。
【００６９】
このカーＡＶ装置５２においても、車内空間における４隅に配置されたフロント左スピーカＦＬ、フロント右スピーカＦＲ、リア左スピーカＲＬ及びリア右スピーカＲＲと接続されており、ＣＤ再生音、ＤＶＤ再生音またはラジオ放送音声等を出力し得るようになされている。
【００７０】
この電子機器システム５１では、カーＡＶ装置５２とポータブルＮＶ装置５３とがＰＩＮケーブル４によって接続された場合、ポータブルＮＶ装置５３に予め格納されているＡＶコンテンツの再生映像を当該ポータブルＮＶ装置５３の表示部３３に表示する一方、そのＡＶコンテンツの再生音声についてはカーＡＶ装置５２の各スピーカＦＬ、ＦＲ、ＲＬ及びＲＲから４ｃｈに拡張して出力させ得るようになされている。
【００７１】
このようにカーＡＶ装置５２及びポータブルＮＶ装置５３がＰＩＮケーブル４によって接続されたときに、ポータブルＮＶ装置５３によるＡＶコンテンツの再生音声をカーＡＶ装置５２の各スピーカＦＬ、ＦＲ、ＲＬ及びＲＲから４ｃｈに拡張して出力させ得る電子機器システム５１の回路構成について、次に説明する。
【００７２】
（２−２）第２の実施の形態における電子機器システムの回路構成
図３との対応部分に同一符号を付した図７に示すように、電子機器システム５１のカーＡＶ装置５２は、第１の実施の形態におけるカーＡＶ装置２（図３）と同様に、ＣＰＵ構成でなる制御用マイコン２１がメモリ２５に格納された基本プログラム及びアプリケーションプログラムに従って動作することにより全体を統括制御すると共に各種処理を実行するようになされている。
【００７３】
実際上、カーＡＶ装置５２では、操作ボタン群１４やつまみ１４Ａを介して入力されたユーザからの命令を入力部２２によって受け付け、その命令を制御マイコン２１へ送出する。
【００７４】
カーＡＶ装置５２の制御マイコン２１は、その命令に従ってＡＶコンテンツデコード部２６によりＣＤ再生処理又はＤＶＤ再生処理を行うことによって得られた音声データに対し、ＤＳＰ部２７により所定のディジタル信号処理を施し、その結果得られる音声データをアンプ部３０により所定レベルに増幅した後ディジタルアナログ変換し、フロント左スピーカＦＬ、フロント右スピーカＦＲ、リア左スピーカＲＬ及びリア右スピーカＲＲからＣＤ再生音声又はＤＶＤ再生音声として出力する。
【００７５】
このとき制御マイコン２１は、ＡＶコンテンツデコード部２６によりＣＤ再生処理を行っているのであれば、ＣＤ再生中の楽曲タイトル、アーティスト名、再生経過時間等を表示部２３に表示し、ＡＶコンテンツデコード部２６によりＤＶＤ再生処理を行っているのであればチャプター数、ＤＶＤ再生経過時間及びＤＶＤ再生残時間等を表示部２３に表示するようになされている。
【００７６】
一方、ポータブルＮＶ装置５３においても、第１の実施の形態におけるポータブルＮＶ装置３（図３）と同様に、ＣＰＵ構成でなる制御マイコン３１がメモリ３６に格納された基本プログラム及びアプリケーションプログラムに従って動作することにより全体を統括制御すると共に各種処理を実行するようになされている。
【００７７】
具体的にはポータブルＮＶ装置５３の制御マイコン３１は、タッチパネル入力部３４を介して入力された命令を受け付け、その命令に応じてナビゲーション部３８を動作させることにより得られたナビゲーション映像データに対して、ＤＳＰ部３７により所定のディジタル信号処理を施し、その結果得られるナビゲーション映像を表示部３３に表示するようになされている。
【００７８】
このときポータブルＮＶ装置５３の制御マイコン３１は、ナビゲーション部３８を動作させることにより得られたナビゲーション音声データに対しては、オーディオ出力部４０を介して当該ポータブルＮＶ装置５３自身に備え付けられたスピーカ（図示せず）から出力するようになされている。
【００７９】
またポータブルＮＶ装置５３は、ＡＶコンテンツデコード部３９を有しており、メモリ部３６に予め格納されているＡＶコンテンツをＡＶコンテンツデコード部３９によってデコードし、その結果得られるＡＶコンテンツの再生映像をＤＳＰ部３７を介して表示部３３に表示すると共に、そのＡＶコンテンツの再生音声をオーディオ出力部４０経由で当該ポータブルＮＶ装置３自身に備え付けられたスピーカ（図示せず）から出力させ得るようになされている。
【００８０】
なおカーＡＶ装置５２の制御マイコン２１は、車両からパーキングブレーキ検出信号（図示せず）の供給を受けるようになされており、パーキングブレーキ検出信号の供給を受けているとき以外、すなわちパーキングブレーキが解除されているときはポータブルＮＶ装置５３の表示部３３にＡＶコンテンツの映像を映し出すことを禁止するステータス信号を当該ポータブルＮＶ装置５３の制御部３１へ送信し、カーＡＶ装置５２からポータブルＮＶ装置５３によるＡＶコンテンツの再生映像を表示制御し得るようになされている。
【００８１】
さらにポータブルＮＶ装置５３は、カーＡＶ装置５２とＰＩＮケーブル４を介して相互に接続された場合、ＡＶコンテンツデコード部３９によってデコードした結果得られるＡＶコンテンツの再生音声データをオーディオ出力部４０からＰＩＮケーブル４の左チャンネルオーディオ端子Ｔ１及び右チャンネルオーディオ端子Ｔ２を介してカーＡＶ装置５２へ送信し得るようになされている。
【００８２】
このときカーＡＶ装置５２の制御マイコン２１は、オーディオ入力部２８を介してポータブルＮＶ装置３から受信したＡＶコンテンツの再生音声データをＤＳＰ部２７及びアンプ部３０を介してフロント左スピーカＦＬ、フロント右スピーカＦＲ、リア左スピーカＲＬ及びリア右スピーカＲＲからＡＶコンテンツの再生音声として４ｃｈに拡張出力し得るようになされている。
【００８３】
このような構成の電子機器システム５１において、カーＡＶ装置５２の制御マイコン２１及びポータブルＮＶ装置５３の制御マイコン３１が共通の処理プログラムに従って互いに連携しながら動作することにより、ポータブルＮＶ装置５３によるＡＶコンテンツの再生音声をカーＡＶ装置５２の各スピーカＦＬ、ＦＲ、ＲＬ及びＲＲから４ｃｈに拡張出力させ得る音声拡張処理手順について以下説明する。
【００８４】
（２−３）第２の実施の形態における電子機器システムの音声拡張処理手順
このような基本構成でなる電子機器システム５１では、図８及び図９に示すように、ステップＳＰ３１においてポータブルＮＶ装置５３の制御マイコン３１は、ユーザの操作によりＡＶコンテンツ再生モードが選択されたことを認識すると、ＡＶコンテンツ再生モードのステータス信号をＰＩＮケーブル４の通信ライン端子Ｔ３によりカーＡＶ装置５２へ送信し、次のステップＳＰ３２へ移る。
【００８５】
ステップＳＰ３２においてカーＡＶ装置５２の制御マイコン２１は、ＡＶコンテンツ再生モードのステータス信号をポータブルＮＶ装置５３から受信したので、当該カーＡＶ装置５２の操作ボタン郡１４によりポータブルＮＶ装置５３のＡＶコンテンツ操作可能なキー入力モードへ切り替え、次のステップＳＰ３３へ移る。
【００８６】
ステップＳＰ３３においてカーＡＶ装置５２の制御マイコン２１は、ポータブルＮＶ装置５３のＡＶコンテンツリストを当該ポータブルＮＶ装置５３の表示部３３に表示させるためのボタン操作が行われたことを認識すると、そのＡＶコンテンツリスト表示のステータス信号をＰＩＮケーブル４の通信ライン端子Ｔ３によりポータブルＮＶ装置５３へ送信し、次のステップＳＰ３４へ移る。
【００８７】
ステップＳＰ３４においてポータブルＮＶ装置５３の制御マイコン３１は、カーＡＶ装置５２の制御マイコン２１から受け取ったＡＶコンテンツリスト表示のステータス信号に従い、メモリ３６に保持しているＡＶコンテンツリストを読み出して表示部３３に表示し、次のステップＳＰ３５へ移る。
【００８８】
ステップＳＰ３５においてカーＡＶ装置５２の制御マイコン２１は、ＡＶコンテンツリストを目視確認しているユーザによって操作ボタン郡１４のつまみ１４Ａが回転操作され、そのつまみ１４Ａが押下操作されたことを認識すると、つまみ１４Ａの回転操作及び押下操作を示すステータス信号をＰＩＮケーブル４の通信ライン端子Ｔ３によりポータブルＮＶ装置５３へ送信し、次のステップＳＰ３６へ移る。
【００８９】
ステップＳＰ３６においてポータブルＮＶ装置５３の制御マイコン３１は、つまみ１４Ａの回転操作及び押下操作を示すステータス信号に応じて表示部３３に表示したＡＶコンテンツリストのうち再生対象のＡＶコンテンツを決定して再生し、ＡＶコンテンツ再生のステータス信号をＰＩＮケーブル４の通信ライン端子Ｔ３によりカーＡＶ装置５２へ送信する。
【００９０】
このときポータブルＮＶ装置５３の制御マイコン３１は、再生したＡＶコンテンツに映像データが付加されていれば、その映像については表示部３３に表示すると共に、ＡＶコンテンツの音声データをＰＩＮケーブル４の左チャンネルオーディオ端子Ｔ１及び右チャンネルオーディオ端子Ｔ２によりカーＡＶ装置５２へ送信し、次のステップＳＰ３７へ移る。
【００９１】
ステップＳＰ３７においてカーＡＶ装置５２の制御マイコン２１は、ポータブルＮＶ装置５３から受け取ったＡＶコンテンツ再生のステータス信号に従って、オーディオ入力部２８をポータブルＮＶ装置５３からのＡＶコンテンツ再生入力に切り替えると共に、ミュート処理により入力待機し、次のステップＳＰ３８へ移る。
【００９２】
ステップＳＰ３８においてカーＡＶ装置５２の制御マイコン２１は、ポータブルＮＶ装置５３から受け取ったＡＶコンテンツの音声データに対してＡＶコンテンツ再生のステータス信号に応じた音声処理（例えばイコライジング処理等）を施し、ミュート処理を解除した後、ＡＶコンテンツの再生音声を各スピーカＦＬ、ＦＲ、ＲＬ及びＲＲから４ｃｈに拡張して出力し、次のステップＳＰ３９へ移る。
【００９３】
ステップＳＰ３９においてカーＡＶ装置２の制御マイコン２１は、操作ボタン群１４のうち曲送りボタンがユーザによって押下操作されると、曲送りのステータス信号をＰＩＮケーブル４の通信ライン端子Ｔ３によりポータブルＮＶ装置５３へ送信し、次のステップＳＰ４０へ移る。
【００９４】
ステップＳＰ４０においてポータブルＮＶ装置５３の制御マイコン３１は、カーＡＶ装置５２から受け取った曲送りのステータス信号に従って、現在再生中のＡＶコンテンツを曲送りして次のＡＶコンテンツを再生し、曲送りしたＡＶコンテンツ再生のステータス信号及び曲送りした次のＡＶコンテンツの音声データをＰＩＮケーブル４の左チャンネルオーディオ端子Ｔ１及び右チャンネルオーディオ端子Ｔ２によりカーＡＶ装置５２へ送信し、次のステップＳＰ４１へ移る。
【００９５】
ステップＳＰ４１においてカーＡＶ装置５２の制御マイコン２１は、ポータブルＮＶ装置５３から受け取った次のＡＶコンテンツの音声データに対してＡＶコンテンツ再生のステータス信号に応じた音声処理を施し、ミュート処理を解除した後、曲送りした次のＡＶコンテンツの再生音声を各スピーカＦＬ、ＦＲ、ＲＬ及びＲＲから４ｃｈに拡張出力し、次のステップＳＰ４２へ移る。
【００９６】
ステップＳＰ４２においてカーＡＶ装置５２の制御マイコン２１は、操作ボタン群１４の中から停止ボタンが押下操作されたことを認識すると、再生停止のステータス信号を生成してＰＩＮケーブル４の通信ライン端子Ｔ３によりポータブルＮＶ装置５３へ送信し、次のステップＳＰ４３へ移って、カーＡＶ装置５２の処理を終了する。
【００９７】
このときステップＳＰ４４においてポータブルＮＶ装置５３の制御マイコン３１は、カーＡＶ装置５２から受け取った再生停止のステータス信号に従って、再生中であるＡＶコンテンツの再生処理を停止し、次のステップＳＰ４５へ移ってポータブルＮＶ装置５３の処理を終了する。
【００９８】
（２−４）第２の実施の形態における動作及び効果
以上の構成において、電子機器システム５１では、カーＡＶ装置５２とポータブルＮＶ装置５３とがＰＩＮケーブル４を介して相互通信可能な状態に接続されたとき、ポータブルＮＶ装置５３からカーＡＶ装置５２へＡＶコンテンツ再生モードのステータス信号を送信し、当該カーＡＶ装置５２の制御マイコン２１にＡＶコンテンツ再生モードのステータス信号を認識させることにより、カーＡＶ装置５２の操作ボタン群１４により当該ポータブルＮＶ装置５３のＡＶコンテンツを操作可能なキー入力モードへ切り替えさせることができる。
【００９９】
すなわち電子機器システム５１では、カーＡＶ装置５２の操作ボタン郡１４によりポータブルＮＶ装置５３を外部操作し得、当該ポータブルＮＶ装置５３が所持しているＡＶコンテンツリストをポータブルＮＶ装置３の表示部３３に表示させ、ボタン操作のし易いカーＡＶ装置２のつまみ１４Ａを介してＡＶコンテンツリストの中からユーザ所望のＡＶコンテンツを選択決定させることができる。
【０１００】
このときポータブルＮＶ装置５３の制御マイコン３１は、カーＡＶ装置５２のつまみ１４Ａによって選択決定されたＡＶコンテンツを再生するが、そのＡＶコンテンツがビデオ音楽クリップのような映像及び音声からなるデータである場合、その再生映像についてはポータブルＮＶ装置５３の表示部３３に表示する。
【０１０１】
そしてカーＡＶ装置５２の制御マイコン３１は、ポータブルＮＶ装置５３から送信されてくるＡＶコンテンツ再生のステータス信号に従って、オーディオ入力部２８をポータブルＮＶ装置５３からのＡＶコンテンツ再生入力に切り替えた後、ＡＶコンテンツの音声データを受け取って、当該カーＡＶ装置５２に接続された各スピーカＦＬ、ＦＲ、ＲＬ及びＲＲからＡＶコンテンツの再生音声を４ｃｈに拡張して出力する。
【０１０２】
すなわち電子機器システム５１では、ポータブルＮＶ装置５３が所持しているＡＶコンテンツの再生映像については当該ポータブルＮＶ装置５３の表示部３３により表示する一方、そのＡＶコンテンツの再生音声については、ポータブルＮＶ装置５３のスピーカではなく、カーＡＶ装置２の各スピーカＦＬ、ＦＲ、ＲＬ及びＲＲから４ｃｈに拡張した状態で高音質に出力することができる。
【０１０３】
このように電子機器システム５１では、ポータブルＮＶ装置５３が所持しているＡＶコンテンツの選択決定操作をカーＡＶ装置５２の操作ボタン群１４及びつまみ１４Ａによって行わせ、ポータブルＮＶ装置５３によって再生したＡＶコンテンツの再生音声をカーＡＶ装置５２の各スピーカＦＬ、ＦＲ、ＲＬ及びＲＲから高音質に拡張出力するように代行させることができる。
【０１０４】
以上の構成によれば、電子機器システム５１ではカーＡＶ装置５２及びポータブルＮＶ装置５３間で各種のステータス信号を相互にやりとりし、互いの機能を連携させることにより、マスタースレーブという相互関係ではなく相手機器の機能を相互に融合したユーザインタフェースとなり得、ポータブルＮＶ装置５３のＡＶコンテンツ再生機能（この場合は再生音声出力）をカーＡＶ装置５２で一部代行することにより、ポータブルＮＶ装置５３による再生音声を各スピーカＦＬ、ＦＲ、ＲＬ及びＲＲから高音質に拡張出力することができる。
【０１０５】
（３）第３の実施の形態
（３−１）第３の実施の形態における電子機器システムの全体構成
図１との対応部分に同一符号を付した図１０において、６１は全体として第３の実施の形態における電子機器システムを示し、車内空間に取り付けられたカーＡＶ装置６２に対して、ポータブルＮＶ装置６３がＰＩＮケーブル４を介して接続され、当該ポータブルＮＶ装置６３に対して携帯電話機５が例えばブルートゥース等のワイヤレス通信によって無線通信接続された構成を有している。
【０１０６】
このＰＩＮケーブル４は、左チャンネルオーディオ端子Ｔ１、右チャンネルオーディオ端子Ｔ２、通信ライン端子Ｔ３及びグランド端子Ｔ４を有し、通信ライン端子Ｔ３を介してカーＡＶ装置６２及びポータブルＮＶ装置６３間で各種命令やステータス信号のやりとりを行わせると共に、左チャンネルオーディオ端子Ｔ１及び右チャンネルオーディオ端子Ｔ２を介してポータブルＮＶ装置６３から供給される音声データをカーＡＶ装置６２へ伝送するようになされている。
【０１０７】
カーＡＶ装置６２は、図示しない車両に取り付けられた際、その車両の車内空間的な制約等から、本体部１２の大部分がダッシュボード内に埋め込まれ、フロントパネル１３だけがダッシュボードの外部に露出するように取り付けられる。因みに、フロントパネル１３の構成については、第１の実施の形態におけるカーＡＶ装置２と同様であるため、ここではその説明を省略する。
【０１０８】
このカーＡＶ装置６２（図１０）は、車内空間における４隅に配置されたフロント左スピーカＦＬ、フロント右スピーカＦＲ、リア左スピーカＲＬ及びリア右スピーカＲＲと接続されており、ＣＤ再生音、ＤＶＤ再生音、ラジオ放送音声、または携帯電話機５の通話音声等を出力し得るようになされている。
【０１０９】
この電子機器システム６１では、ポータブルＮＶ装置６３と携帯電話機５との通信リンクを確立すると、その携帯電話機５が所持しているＡＶコンテンツのストリーミングデータを、ポータブルＮＶ装置３及びＰＩＮケーブル４を介してカーＡＶ装置２へ伝送し、当該カーＡＶ装置２のフロント左スピーカＦＬ、フロント右スピーカＦＲ、リア左スピーカＲＬ及びリア右スピーカＲＲからストリーミング音声として出力させ得るようになされている。
【０１１０】
このように電子機器システム６１では、ポータブルＮＶ装置６３と携帯電話機５との通信リンクを確立したとき、携帯電話機５が所持しているＡＶコンテンツのストリーミングデータをポータブルＮＶ装置６３からＰＩＮケーブル４を介してカーＡＶ装置６２へ伝送し、カーＡＶ装置６２のフロント左スピーカＦＬ、フロント右スピーカＦＲ、リア左スピーカＲＬ及びリア右スピーカＲＲからＡＶコンテンツのストリーミング音声を４ｃｈに拡張して出力させ得るようになされている。
【０１１１】
このようにポータブルＮＶ装置６３と携帯電話機５との通信リンクを確立したときに、カーＡＶ装置６２及びポータブルＮＶ装置６３全体により携帯電話機５が所持しているＡＶコンテンツのストリーミング音声を拡張出力させ得る電子機器システム６１の回路構成について、次に説明する。
【０１１２】
（３−２）第３の実施の形態における電子機器システムの回路構成
図３との対応部分に同一符号を付した図１１に示すように、電子機器システム６１のカーＡＶ装置６２は、ＣＰＵ構成でなる制御マイコン２１がメモリ２５に格納された基本プログラム及びアプリケーションプログラムに従って動作することにより全体を統括制御すると共に各種処理を実行するようになされている。
【０１１３】
実際上、カーＡＶ装置６２では、操作ボタン群１４やつまみ１４Ａを介して入力されたユーザからの命令を入力部２２によって受け付け、その命令を制御マイコン２１へ送出する。
【０１１４】
カーＡＶ装置６２の制御マイコン２１は、その命令に従ってＡＶコンテンツデコード部２６によりＣＤ再生処理又はＤＶＤ再生処理を行うことによって得られた音声データに対し、ＤＳＰ部２７により所定のディジタル信号処理を施し、その結果得られる音声データをアンプ部３０により所定レベルに増幅した後ディジタルアナログ変換し、フロント左スピーカＦＬ、フロント右スピーカＦＲ、リア左スピーカＲＬ及びリア右スピーカＲＲからＣＤ再生音声又はＤＶＤ再生音声として出力する。
【０１１５】
このとき制御マイコン２１は、ＡＶコンテンツデコード部２６によりＣＤ再生処理を行っているのであれば、ＣＤ再生中の楽曲タイトル、アーティスト名、再生経過時間等を表示部２３に表示し、ＡＶコンテンツデコード部２６によりＤＶＤ再生処理を行っているのであればチャプター数、ＤＶＤ再生経過時間及びＤＶＤ再生残時間等を表示部２３に表示するようになされている。
【０１１６】
一方、ポータブルＮＶ装置６３においても、第１の実施の形態におけるポータブルＮＶ装置３（図３）と同様に、ＣＰＵ構成でなる制御マイコン３１がメモリ３６に格納された基本プログラム及びアプリケーションプログラムに従って動作することにより全体を統括制御すると共に各種処理を実行するようになされている。
【０１１７】
具体的にはポータブルＮＶ装置６３の制御マイコン３１は、タッチパネル入力部３４を介して入力された命令を受け付け、その命令に応じてナビゲーション部３８を動作させることにより得られたナビゲーション映像データに対して、ＤＳＰ部３７により所定のディジタル信号処理を施し、その結果得られるナビゲーション映像を表示部３３に表示するようになされている。
【０１１８】
このときポータブルＮＶ装置６３の制御マイコン３１は、ナビゲーション部３８を動作させることにより得られたナビゲーション音声データに対しては、オーディオ出力部４０経由で当該ポータブルＮＶ装置５３自身に備え付けられたスピーカ（図示せず）から出力するようになされている。
【０１１９】
またポータブルＮＶ装置６３は、ＡＶコンテンツデコード部３９を有しており、メモリ部３６に格納されているＡＶコンテンツをＡＶコンテンツデコード部３９によってデコードし、その結果得られるＡＶコンテンツの再生映像をＤＳＰ部３７を介して表示部３３に表示すると共に、そのＡＶコンテンツの再生音声をオーディオ出力部４０経由で当該ポータブルＮＶ装置３自身に備え付けられたスピーカ（図示せず）から出力させ得るようになされている。
【０１２０】
なおカーＡＶ装置６２の制御マイコン２１は、車両からパーキングブレーキ検出信号（図示せず）の供給を受けるようになされており、パーキングブレーキ検出信号の供給を受けているとき以外、すなわちパーキングブレーキが解除されているときはポータブルＮＶ装置６３の表示部３３にＡＶコンテンツの映像を映し出すことを禁止するステータス信号を当該ポータブルＮＶ装置６３の制御部３１へ送信し、カーＡＶ装置６２からポータブルＮＶ装置６３によるＡＶコンテンツの再生映像を表示制御し得るようになされている。
【０１２１】
さらにポータブルＮＶ装置６３は、カーＡＶ装置６２とＰＩＮケーブル４を介して相互に接続された状態で、携帯電話機５との通信リンクを確立した場合、その携帯電話機５が所持しているＡＶコンテンツ（例えばビデオ音楽クリップ）を通信処理部３２によりストリーミングデータとして取り込み、そのうちストリーミング再生映像データについては表示部３３にストリーミング再生映像として表示させる一方、ＡＶコンテンツのストリーミング再生音声データについてはオーディオ出力部４０からＰＩＮケーブル４の左チャンネルオーディオ端子Ｔ１及び右チャンネルオーディオ端子Ｔ２を介してカーＡＶ装置６２へ送信し得るようになされている。
【０１２２】
このときカーＡＶ装置６２の制御マイコン２１は、オーディオ入力部２８を介してポータブルＮＶ装置６３から受信した携帯電話機５からのストリーミング再生音声データをＤＳＰ部２７によってディジタル信号処理した後、アンプ部３０を介してフロント左スピーカＦＬ、フロント右スピーカＦＲ、リア左スピーカＲＬ及びリア右スピーカＲＲから携帯電話機５によるＡＶコンテンツのストリーミング再生音声として４ｃｈに拡張して出力し得るようになされている。
【０１２３】
このような構成の電子機器システム６１において、カーＡＶ装置６２の制御マイコン２１及びポータブルＮＶ装置６３の制御マイコン３１が共通の処理プログラムに従って互いに連携しながら動作することにより、カーＡＶ装置６２及びポータブルＮＶ装置６３により携帯電話機５のストリーミング再生機能を代行させるストリーミング再生処理手順について以下説明する。
【０１２４】
（３−３）第３の実施の形態における電子機器システムのストリーミング再生処理手順
このような基本構成でなる電子機器システム６１では、図１２及び図１３に示すように、ステップＳＰ６１においてポータブルＮＶ装置６３の制御マイコン３１は、タッチパネル入力部３４を介してユーザの操作により携帯電話機５のＡＶコンテンツストリーミングモードが選択されたことを認識すると、次のステップＳＰ６２へ移る。
【０１２５】
ステップＳＰ６２においてポータブルＮＶ装置６３の制御マイコン３１は、携帯電話機５との間の通信リンクを確立し、その携帯電話機５が所持しているＡＶコンテンツリストを読み出し、それを自身のメモリ３６に一旦記憶し、次のステップＳＰ６３へ移る。
【０１２６】
ステップＳＰ６３においてポータブルＮＶ装置６３の制御マイコン３１は、携帯電話機５との間の通信リンクを確立したので、その旨の初期ステータス信号をＰＩＮケーブル４の通信ライン端子Ｔ３によりカーＡＶ装置６２へ送信し、次のステップＳＰ６４へ移る。
【０１２７】
ステップＳＰ６４においてカーＡＶ装置６２の制御マイコン２１は、携帯電話機５との間の通信リンクを確立した旨の初期ステータス信号をポータブルＮＶ装置６３から受信したので、当該カーＡＶ装置６２の操作ボタン郡１４によりポータブルＮＶ装置６３を介して携帯電話機５のＡＶコンテンツストリーミング再生操作可能なキー入力モードへ切り替え、次のステップＳＰ６５へ移る。
【０１２８】
ステップＳＰ６５においてカーＡＶ装置６２の制御マイコン２１は、携帯電話機５が所持しているＡＶコンテンツリストをポータブルＮＶ装置６３の表示部３３に表示させるためのボタン操作が行われたことを認識すると、そのステータス信号をＰＩＮケーブル４の通信ライン端子Ｔ３によりポータブルＮＶ装置６３へ送信し、次のステップＳＰ６６へ移る。
【０１２９】
ステップＳＰ６６においてポータブルＮＶ装置６３の制御マイコン３１は、カーＡＶ装置６２の制御マイコン２１から受け取ったステータス信号に従い、携帯電話機５から読み出してメモリ３６に保持しておいたＡＶコンテンツリストを表示部３３に表示し、次のステップＳＰ６７へ移る。
【０１３０】
ステップＳＰ６７においてカーＡＶ装置６２の制御マイコン２１は、操作ボタン郡１４のつまみ１４Ａが回転操作されたことを認識すると、つまみ１４Ａが回転操作されたときの回転量を示すステータス信号をＰＩＮケーブル４の通信ライン端子Ｔ３によりポータブルＮＶ装置６３へ送信し、次のステップＳＰ６８へ移る。
【０１３１】
ステップＳＰ６８においてポータブルＮＶ装置６３の制御マイコン３１は、カーＡＶ装置６２から受け取った、つまみ１４Ａに対する回転操作量を示すステータス信号に応じて表示部３３に表示したＡＶコンテンツリストの表示対象をスクロールすることにより切り替え、次のステップＳＰ６９へ移る。
【０１３２】
ステップＳＰ６９においてカーＡＶ装置６２の制御マイコン２１は、ポータブルＮＶ装置６３の表示部３３に表示されたＡＶコンテンツリストのうち、カーＡＶ装置６２のつまみ１４Ａに対する押下操作により選択決定されたＡＶコンテンツを認識すると、その選択結果のステータス信号をＰＩＮケーブル４の通信ライン端子Ｔ３によりポータブルＮＶ装置６３へ送信し、次のステップＳＰ７０へ移る。
【０１３３】
ステップＳＰ７０においてポータブルＮＶ装置６３の制御マイコン３１は、カーＡＶ装置６２から受け取った選択結果のステータス信号に従って、携帯電話機５のＡＶコンテンツに対するストリーミング再生処理を開始させ、そのストリーミングデータを通信処理部３２により受け取り、ストリーミングデータにストリーミング再生映像データが含まれていれば、そのストリーミング再生映像データに基づくストリーミング再生映像を表示部３３に表示し、次のステップＳＰ７１へ移る。
【０１３４】
ステップＳＰ７１においてポータブルＮＶ装置６３の制御マイコン３１は、ストリーミング再生映像を表示部３３に表示したことを意味するストリーミング再生のステータス信号をＰＩＮケーブル４の通信ライン端子Ｔ３によりカーＡＶ装置６２へ送信すると共に、そのストリーミングデータに含まれるストリーミング再生音声データをＰＩＮケーブル４の左チャンネルオーディオ端子Ｔ１及び右チャンネルオーディオ端子Ｔ２によりカーＡＶ装置６２へ送信し、次のステップＳＰ７２へ移る。
【０１３５】
このときステップＳＰ７２においてカーＡＶ装置６２の制御マイコン２１は、ポータブルＮＶ装置６３から受け取ったストリーミング再生音声データに対し、ストリーミング再生のステータス信号に応じた音声処理を施し、ミュート処理を解除した後、ＡＶコンテンツのストリーミング再生音声を各スピーカＦＬ、ＦＲ、ＲＬ及びＲＲから４ｃｈに拡張して出力し、次のステップＳＰ７３へ移る。
【０１３６】
ステップＳＰ７３においてカーＡＶ装置６２の制御マイコン２１は、操作ボタン群１４のうち曲送りボタンが押下操作されると、曲送りのステータス信号をＰＩＮケーブル４の通信ライン端子Ｔ３によりポータブルＮＶ装置６３へ送信した後、ミュート状態に遷移させ、ポータブルＮＶ装置６３からの次のステータス信号を待ち受け、次のステップＳＰ７４へ移る。
【０１３７】
ステップＳＰ７４においてポータブルＮＶ装置６３の制御マイコン３１は、カーＡＶ装置６２から受け取った曲送りのステータス信号に従って、携帯電話機５のＡＶコンテンツを曲送りして次のＡＶコンテンツをストリーミング再生させ、そのストリーミング再生のステータス信号をＰＩＮケーブル４の通信ライン端子Ｔ３によりカーＡＶ装置６２へ送信すると共に、ストリーミング再生音声データをＰＩＮケーブル４の左チャンネルオーディオ端子Ｔ１及び右チャンネルオーディオ端子Ｔ２によりカーＡＶ装置６２へ送信し、次のステップＳＰ７５へ移る。
【０１３８】
ステップＳＰ７５においてカーＡＶ装置６２の制御マイコン２１は、ポータブルＮＶ装置６３から受け取った次のＡＶコンテンツのストリーミング再生音声データに対し、ストリーミング再生のステータス信号に応じた音声処理を施し、ミュート処理を解除した後、ＡＶコンテンツのストリーミング再生音声を各スピーカＦＬ、ＦＲ、ＲＬ及びＲＲから４ｃｈに拡張出力し、次のステップＳＰ７６へ移る。
【０１３９】
ステップＳＰ７６においてカーＡＶ装置６２の制御マイコン２１は、操作ボタン群１４の中から停止ボタンが押下操作されたことを認識すると、再生停止のステータス信号を生成してＰＩＮケーブル４の通信ライン端子Ｔ３によりポータブルＮＶ装置６３へ送信し、次のステップＳＰ７７へ移って、カーＡＶ装置６２の処理を終了する。
【０１４０】
このときステップＳＰ７８においてポータブルＮＶ装置６３の制御マイコン３１は、カーＡＶ装置６２から受け取った再生停止のステータス信号に従って、携帯電話機５によるＡＶコンテンツのストリーミング再生処理を停止させ、次のステップＳＰ７９へ移ってポータブルＮＶ装置６３の処理を終了する。
【０１４１】
（３−４）第３の実施の形態における動作及び効果
以上の構成において、電子機器システム６１では、カーＡＶ装置６２とポータブルＮＶ装置６３とがＰＩＮケーブル４を介して相互通信可能な状態に接続され、ポータブルＮＶ装置６３と携帯電話機５との通信リンクが確立したときに、当該ポータブルＮＶ装置６３からカーＡＶ装置６２へ通信リンク確立の初期ステータス信号を送信し、カーＡＶ装置６２の制御マイコン２１に初期ステータス信号を認識させることにより、当該カーＡＶ装置６２の操作ボタン郡１４により携帯電話機５のＡＶコンテンツストリーミング再生操作可能なキー入力モードへ切り替えさせることができる。
【０１４２】
すなわち電子機器システム６１では、カーＡＶ装置６２の操作ボタン郡１４により携帯電話機５を外部操作し得、携帯電話機５が所持しているＡＶコンテンツリストをポータブルＮＶ装置６３の表示部３３に表示させるための命令を、その携帯電話機５を操作することなくボタン操作のし易いカーＡＶ装置６２の操作ボタン郡１４を介してユーザに代行入力させることができる。
【０１４３】
このときポータブルＮＶ装置６３の制御マイコン３１は、ＡＶコンテンツリストを表示させるためのステータス信号をカーＡＶ装置６２から受け取り、そのステータス信号を認識することにより、ポータブルＮＶ装置６３と携帯電話機５との通信リンクを確立した際、予め携帯電話機５から読み出してメモリ３６に記憶しておいたＡＶコンテンツリストを表示部３３に表示することができる。
【０１４４】
すなわちポータブルＮＶ装置６３の制御マイコン３１は、カーＡＶ装置６２からの命令に従って、携帯電話機５のＡＶコンテンツリストを、当該携帯電話機５よりも画面サイズの大きな表示部３３に表示することによって代行し、ＡＶコンテンツリストに対するユーザの視認性を大幅に向上させることができる。
【０１４５】
そしてカーＡＶ装置６２の制御マイコン２１は、ポータブルＮＶ装置６３の表示部３３に表示されたＡＶコンテンツリストの中からユーザにストリーミング再生を希望するＡＶコンテンツをカーＡＶ装置６２のつまみ１４Ａの操作により選択されたときのステータス信号をポータブルＮＶ装置６３へ送信することにより、当該ポータブルＮＶ装置６３を介して携帯電話機５にＡＶコンテンツのストリーミング再生を実行させることができる。
【０１４６】
続いてポータブルＮＶ装置６３の制御マイコン３１は、ストリーミング再生したことのステータス信号をカーＡＶ装置６２へ送信することにより、当該カーＡＶ装置６２に対してストリーミング再生音声の出力準備を行わせることができる。
【０１４７】
カーＡＶ装置６２の制御マイコン２１は、ポータブルＮＶ装置６３からストリーミング再生音声データを受け取ったとき、各スピーカＦＬ、ＦＲ、ＲＬ及びＲＲからＡＶコンテンツのストリーミング再生音声を４ｃｈに拡張して出力させることができる。
【０１４８】
このように電子機器システム６１では、携帯電話機５に対するＡＶコンテンツストリーミング再生操作をカーＡＶ装置２に代行させ得ると共に、ＡＶコンテンツリストの表示をポータブルＮＶ装置６３に代行させ、かつストリーミング再生したときのストリーミング再生音声をカーＡＶ装置６２の各スピーカＦＬ、ＦＲ、ＲＬ及びＲＲから代行させて拡張出力することにより、カーＡＶ装置６２及びポータブルＮＶ装置６３相互の連携により携帯電話機５によるストリーミング再生処理を代行することができる。
【０１４９】
以上の構成によれば、電子機器システム６１ではカーＡＶ装置６２及びポータブルＮＶ装置６３間で各種のステータス信号を相互にやりとりし、互いの機能を連携させることにより、マスタースレーブという相互関係ではなく相手機器の機能を相互に融合したユーザインタフェースとなり得、携帯電話機５のストリーミング再生機能をカーＡＶ装置６２及びポータブルＮＶ装置６３により操作性良く実現することができる。
【０１５０】
また電子機器システム６１では、カーＡＶ装置６２が車内空間のエアーコンディショナーの吹出口や、エアーコンディショナー操作パネル下の運転者が運転視線から目をそらすような予め決められた場所に取付固定されるのに対し、ポータブルＮＶ装置６３を運転者の運転視線から大きくそらさせることのない車内空間の任意の位置に吸盤等で取付けた状態で、カーＡＶ装置６２とポータブルＮＶ装置６３とを相互に連携させ、ポータブルＮＶ装置６３の表示部３３を介して携帯電話機５のＡＶコンテンツリストを表示させることにより、そのＡＶコンテンツリストの中から再生対象のＡＶコンテンツを選択させることができるので、運転者の運転視線をそらさせることなく携帯電話機５によるストリーミング再生処理を実行させることができる。
【０１５１】
（４）第４の実施の形態
（４−１）第４の実施の形態における電子機器システムの全体構成
図１との対応部分に同一符号を付した図１４において、７１は全体として第４の実施の形態における電子機器システムを示し、車内空間に取り付けられたカーＡＶ装置７２に対して、ポータブルＮＶ装置７３がＰＩＮケーブル４を介して相互に接続された構成を有している。
【０１５２】
このＰＩＮケーブル４は、左チャンネルオーディオ端子Ｔ１、右チャンネルオーディオ端子Ｔ２、通信ライン端子Ｔ３及びグランド端子Ｔ４を有し、通信ライン端子Ｔ３を介してカーＡＶ装置７２及びポータブルＮＶ装置７３間で各種命令やステータス信号のやりとりを行わせると共に、左チャンネルオーディオ端子Ｔ１及び右チャンネルオーディオ端子Ｔ２を介してポータブルＮＶ装置７３から供給される音声データをカーＡＶ装置７２へ伝送するようになされている。
【０１５３】
カーＡＶ装置７２は、図示しない車両に取り付けられた際、その車両の車内空間的な制約等から、本体部１２の大部分がダッシュボード内に埋め込まれ、フロントパネル１３だけがダッシュボードの外部に露出するように取り付けられる。因みに、フロントパネル１３の構成については、第１の実施の形態におけるカーＡＶ装置２と同様であるため、ここではその説明を省略する。
【０１５４】
このカーＡＶ装置７２においても、車内空間における４隅に配置されたフロント左スピーカＦＬ、フロント右スピーカＦＲ、リア左スピーカＲＬ及びリア右スピーカＲＲと接続されており、ＣＤ再生音、ＤＶＤ再生音またはラジオ放送音声等を出力し得るようになされている。
【０１５５】
この電子機器システム７１では、カーＡＶ装置７２とポータブルＮＶ装置７３とがＰＩＮケーブル４によって相互に接続された場合、ポータブルＮＶ装置７３によって目的地までのルートナビゲーションを開始したとき、ナビゲーション映像については当該ポータブルＮＶ装置５３の表示部３３に表示する一方、ナビゲーション音声についてはカーＡＶ装置５２の各スピーカＦＬ、ＦＲ、ＲＬ及びＲＲを介して４ｃｈに拡張出力させ得るようになされている。
【０１５６】
このようにカーＡＶ装置７２及びポータブルＮＶ装置７３がＰＩＮケーブル４によって相互に接続されたとき、ポータブルＮＶ装置７３からのナビゲーション音声をカーＡＶ装置７２の各スピーカＦＬ、ＦＲ、ＲＬ及びＲＲにより４ｃｈに拡張して出力させ得る電子機器システム７１の回路構成について、次に説明する。
【０１５７】
（４−２）第４の実施の形態における電子機器システムの回路構成
図３との対応部分に同一符号を付した図１５に示すように、電子機器システム７１のカーＡＶ装置７２は、第１の実施の形態におけるカーＡＶ装置２（図３）と同様に、ＣＰＵ構成でなる制御用マイコン２１がメモリ２５に格納された基本プログラム及びアプリケーションプログラムに従って動作することにより全体を統括制御すると共に各種処理を実行するようになされている。
【０１５８】
実際上、カーＡＶ装置７２では、操作ボタン群１４やつまみ１４Ａを介して入力されたユーザからの命令を入力部２２によって受け付け、その命令を制御マイコン２１へ送出する。
【０１５９】
カーＡＶ装置７２の制御マイコン２１は、その命令に従ってＡＶコンテンツデコード部２６によりＣＤ再生処理又はＤＶＤ再生処理を行うことによって得られた音声データに対し、ＤＳＰ部２７により所定のディジタル信号処理を施し、その結果得られる音声データをアンプ部３０により所定レベルに増幅した後ディジタルアナログ変換し、フロント左スピーカＦＬ、フロント右スピーカＦＲ、リア左スピーカＲＬ及びリア右スピーカＲＲからＣＤ再生音声又はＤＶＤ再生音声として出力する。
【０１６０】
このときカーＡＶ装置７２の制御マイコン２１は、ＡＶコンテンツデコード部２６によりＣＤ再生処理を行っているのであれば、ＣＤ再生中の楽曲タイトル、アーティスト名、再生経過時間等を表示部２３に表示し、ＡＶコンテンツデコード部２６によりＤＶＤ再生処理を行っているのであればチャプター数、ＤＶＤ再生経過時間及びＤＶＤ再生残時間等を表示部２３に表示するようになされている。
【０１６１】
一方、ポータブルＮＶ装置７３においても、第１の実施の形態におけるポータブルＮＶ装置３（図３）と同様に、ＣＰＵ構成でなる制御マイコン３１がメモリ３６に格納された基本プログラム及びアプリケーションプログラムに従って動作することにより全体を統括制御すると共に各種処理を実行するようになされている。
【０１６２】
このポータブルＮＶ装置７３は、ＡＶコンテンツデコード部３９を有しており、メモリ部３６に予め格納されたＡＶコンテンツをＡＶコンテンツデコード部３９によってデコードし、その結果得られるＡＶコンテンツの再生映像データをＤＳＰ部３７を介して表示部３３に再生映像として表示すると共に、そのＡＶコンテンツの再生音声データをオーディオ出力部４０経由で当該ポータブルＮＶ装置７３自身に備え付けられたスピーカ（図示せず）から再生音声として出力させ得るようになされている。
【０１６３】
なおカーＡＶ装置７２の制御マイコン２１は、車両からパーキングブレーキ検出信号の供給を受けるようになされており、パーキングブレーキ検出信号の供給を受けているとき以外、すなわちパーキングブレーキが解除されているときはポータブルＮＶ装置７３の表示部３３にＡＶコンテンツの映像を映し出すことを禁止するステータス信号を当該ポータブルＮＶ装置７３の制御部３１へ送信し、カーＡＶ装置７２からポータブルＮＶ装置７３によるＡＶコンテンツの再生映像を表示制御し得るようになされている。
【０１６４】
さらにポータブルＮＶ装置７３の制御マイコン３１は、タッチパネル入力部３４を介して入力された命令を受け付け、その命令に応じてナビゲーション部３８を動作させることにより得られたナビゲーション映像データに対して、ＤＳＰ部３７により所定のディジタル信号処理を施し、その結果得られるナビゲーション映像を表示部３３に表示するようになされている。
【０１６５】
このときポータブルＮＶ装置７３の制御マイコン３１は、ナビゲーション部３８を動作させることにより得られたナビゲーション音声データに対しては、オーディオ出力部４０経由で当該ポータブルＮＶ装置７３自身に備え付けられたスピーカ（図示せず）から出力し得ると共に、オーディオ出力部４０からＰＩＮケーブル４の左チャンネルオーディオ端子Ｔ１及び右チャンネルオーディオ端子Ｔ２を介してカーＡＶ装置７２へ送信し得るようになされている。
【０１６６】
このときカーＡＶ装置７２の制御マイコン２１は、オーディオ入力部２８を介してポータブルＮＶ装置７３から受信したナビゲーション音声データをＤＳＰ部２７及びアンプ部３０を介してフロント左スピーカＦＬ、フロント右スピーカＦＲ、リア左スピーカＲＬ及びリア右スピーカＲＲからルートナビゲーション動作時におけるナビゲーション音声として４ｃｈに拡張出力し得るようになされている。
【０１６７】
このような構成の電子機器システム７１において、カーＡＶ装置７２の制御マイコン２１及びポータブルＮＶ装置７３の制御マイコン３１が共通の処理プログラムに従って互いに連携しながら動作することにより、ポータブルＮＶ装置７３によってナビゲーション動作しているときのナビゲーション音声をカーＡＶ装置７２の各スピーカＦＬ、ＦＲ、ＲＬ及びＲＲによって４ｃｈに拡張出力させ得るナビゲーション音声拡張処理手順について以下説明する。
【０１６８】
（４−３）第４の実施の形態における電子機器システムの音声拡張処理手順
このような基本構成でなる電子機器システム７１では、図１６及び図１７に示すように、ステップＳＰ８１においてポータブルＮＶ装置７３の制御マイコン３１は、ユーザの操作によりナビゲーションモードが選択されたことを認識すると、ナビゲーションモードの初期ステータス信号をＰＩＮケーブル４の通信ライン端子Ｔ３によりカーＡＶ装置７２へ送信し、次のステップＳＰ８２へ移る。
【０１６９】
ステップＳＰ８２においてカーＡＶ装置７２の制御マイコン２１は、ナビゲーションモードの初期ステータス信号をポータブルＮＶ装置７３から受け取ると、当該カーＡＶ装置７２の操作ボタン郡１４によりポータブルＮＶ装置７３のナビゲーション操作を可能とするキー入力モードへ切り替え、次のステップＳＰ８３へ移る。
【０１７０】
ステップＳＰ８３においてカーＡＶ装置７２の制御マイコン２１は、ポータブルＮＶ装置７３のナビゲーションメニューリストを当該ポータブルＮＶ装置７３の表示部３３に表示させるためのボタン操作が行われたことを認識すると、そのナビゲーションメニューリスト表示のステータス信号をＰＩＮケーブル４の通信ライン端子Ｔ３によりポータブルＮＶ装置７３へ送信し、次のステップＳＰ８４へ移る。
【０１７１】
ステップＳＰ８４においてポータブルＮＶ装置７３の制御マイコン３１は、カーＡＶ装置７２の制御マイコン２１から受け取ったナビゲーションメニューリスト表示のステータス信号に従い、予めメモリ３６に保持しているナビゲーションメニューリストを読み出して表示部３３に表示し、次のステップＳＰ８５へ移る。
【０１７２】
ステップＳＰ８５においてカーＡＶ装置７２の制御マイコン２１は、ナビゲーションメニューリストを目視確認しているユーザによって操作ボタン郡１４のつまみ１４Ａが回転操作されたことを認識すると、つまみ１４Ａの回転操作量を示すステータス信号をＰＩＮケーブル４の通信ライン端子Ｔ３によりポータブルＮＶ装置７３へ送信し、次のステップＳＰ８６へ移る。
【０１７３】
ステップＳＰ８６においてポータブルＮＶ装置７３の制御マイコン３１は、つまみ１４Ａの回転操作量を示すステータス信号に応じて表示部３３に表示したナビゲーションメニューリストに対するカーソルの表示先を切り替え、次のステップＳＰ８７へ移る。
【０１７４】
ステップＳＰ８７においてカーＡＶ装置７２の制御マイコン２１は、つまみ１４Ａの押下操作に応じて選択されたときのカーソルが示すメニュー項目を決定し、そのメニュー項目のステータス信号をＰＩＮケーブル４の通信ライン端子Ｔ３によりポータブルＮＶ装置７３へ送信し、次のステップＳＰ８８へ移る。
【０１７５】
ステップＳＰ８８においてポータブルＮＶ装置７３の制御マイコン３１は、メニュー項目のステータス信号に従ってナビゲーション動作の設定が完了したか否かを判定し、否定結果が得られると、ステップＳＰ８４へ戻って上述の処理を繰り返すのに対し、肯定結果が得られると、次のステップＳＰ８９へ移る。
【０１７６】
ステップＳＰ８９においてポータブルＮＶ装置７３の制御マイコン３１は、ナビゲーション動作の設定が完了したので、ルート案内準備のステータス信号をＰＩＮケーブル４の通信ライン端子Ｔ３によりカーＡＶ装置７２へ送信し、次のステップＳＰ９０へ移る。
【０１７７】
ステップＳＰ９０においてカーＡＶ装置７２の制御マイコン２１は、ポータブルＮＶ装置７３から受け取ったルート案内準備のステータス信号に従って、オーディオ入力部２８をポータブルＮＶ装置７３によるナビゲーション音声案内入力に切り替え、操作ボタン郡１４をＡＶコンテンツ操作可能なキー入力モードに切り換え、ＡＶコンテンツ再生モードでナビゲーション音声案内入力待機状態に遷移させ、次のステップＳＰ９３へ移る。
【０１７８】
このときステップＳ９１においてポータブルＮＶ装置７３の制御マイコン３１は、ルート案内準備のステータス信号を送信したので、目的地までのルートを検索した後、そのルート案内を開始してナビゲーション映像を表示部３３に表示すると共に、ナビゲーション音声案内を開始し、次のステップＳＰ９２へ移る。
【０１７９】
ステップＳＰ９２においてポータブルＮＶ装置７３の制御マイコン３１は、例えば「次の交差点を左折です！」等のナビゲーション音声案内を行うタイミングでナビゲーション音声案内割込みのステータス信号をＰＩＮケーブル４の通信ライン端子Ｔ３によりカーＡＶ装置７２へ送信すると共に、そのときのナビゲーション音声案内の音声データをＰＩＮケーブル４の左チャンネルオーディオ端子Ｔ１及び右チャンネルオーディオ端子Ｔ２によりカーＡＶ装置７２へ送信し、次のステップＳＰ９３へ移る。
【０１８０】
ステップＳＰ９３においてカーＡＶ装置７２の制御マイコン２１は、ポータブルＮＶ装置７３から受け取ったナビゲーション音声案内割込みのステータス信号に従って、現在出力中であるＡＶコンテンツの再生音声をミュートし、ナビゲーション音声案内に最適な音場処理を施した後、ナビゲーション音声案内のナビゲーション音声をカーＡＶ装置７２の各スピーカＦＬ、ＦＲ、ＲＬ及びＲＲから４ｃｈに拡張して出力し、次のステップＳＰ９４へ移る。
【０１８１】
ステップＳＰ９４においてポータブルＮＶ装置７３の制御マイコン３１は、ナビゲーション音声案内の音声データを出力し終わったとき、ナビゲーション音声案内割込終了のステータス信号をＰＩＮケーブル４の通信ライン端子Ｔ３によりカーＡＶ装置７２へ送信し、次のステップＳＰ９５へ移る。
【０１８２】
ステップＳＰ９５においてカーＡＶ装置７２の制御マイコン２１は、ポータブルＮＶ装置７３から受け取ったナビゲーション音声案内割込終了のステータス信号に従って、ナビゲーション音声案内に最適な音場処理を解除し、ＡＶコンテンツの再生音声に対するミュートを解除し、ＡＶコンテンツの再生音声を各スピーカＦＬ、ＦＲ、ＲＬ及びＲＲから再度出力するように切り換え、次のステップＳＰ９６へ移る。
【０１８３】
ステップＳＰ９６においてポータブルＮＶ装置７３の制御マイコン３１は、ルート案内が目的地に到達して終了すると、ナビゲーション音声案内についても終了し、ルート案内終了のステータス信号をＰＩＮケーブル４の通信ライン端子Ｔ３によりカーＡＶ装置７２へ送信し、次のステップＳＰ９７へ移って、ポータブルＮＶ装置７３の処理を終了する。
【０１８４】
一方、ステップＳＰ９８においてカーＡＶ装置７３の制御マイコン２１は、ポータブルＮＶ装置７３から受け取ったルート案内終了のステータス信号に従って、ステップＳＰ９０で設定したナビゲーション音声案内入力待機状態を解除することによりナビゲーションモード前の状態に戻し、次のステップＳＰ９９へ移ってカーＡＶ装置７２の処理を終了する。
【０１８５】
（４−４）第４の実施の形態における動作及び効果
以上の構成において、電子機器システム７１では、カーＡＶ装置７２とポータブルＮＶ装置７３とがＰＩＮケーブル４を介して相互通信可能な状態に接続されたとき、ポータブルＮＶ装置７３からカーＡＶ装置７２へナビゲーションモードの初期ステータス信号を送信し、当該カーＡＶ装置７２の制御マイコン２１にナビゲーションモードの初期ステータス信号を認識させることにより、カーＡＶ装置７２の操作ボタン群１４により当該ポータブルＮＶ装置７３に対するナビゲーション操作を可能なキー入力モードへ切り替えさせることができる。
【０１８６】
すなわち電子機器システム７１では、カーＡＶ装置７２の操作ボタン郡１４によりポータブルＮＶ装置７３のナビゲーション機能を外部操作し得、当該ポータブルＮＶ装置７３によるナビゲーション動作の設定を行ってルート案内を開始させることにより、そのナビゲーション映像を表示部３３に表示させることができる。
【０１８７】
一方、電子機器システム７１では、ルート案内中のナビゲーション音声についてはポータブルＮＶ装置７３からカーＡＶ装置７２へ送信するナビゲーション音声案内割込みのステータス信号に従って当該カーＡＶ装置７２のオーディオ入力部２８を介してナビゲーション音声を入力し、ナビゲーション音声案内に最適な音場処理を施した後、当該カーＡＶ装置７２に接続された各スピーカＦＬ、ＦＲ、ＲＬ及びＲＲからナビゲーション音声を４ｃｈに拡張して出力させることができる。
【０１８８】
すなわち電子機器システム７１では、ポータブルＮＶ装置７３によってルート案内を行った際のナビゲーション映像については当該ポータブルＮＶ装置７３の表示部３３に対して表示する一方、そのナビゲーション音声については、ポータブルＮＶ装置７３のスピーカではなく、カーＡＶ装置７２の各スピーカＦＬ、ＦＲ、ＲＬ及びＲＲから４ｃｈに拡張した状態で高音質に出力することができる。
【０１８９】
このように電子機器システム７１では、ポータブルＮＶ装置７３によってルート案内を行った際のナビゲーション映像については当該ポータブルＮＶ装置７３の表示部３３に表示するものの、ナビゲーション音声についてはカーＡＶ装置７２の各スピーカＦＬ、ＦＲ、ＲＬ及びＲＲを代行させることにより４ｃｈに拡張して出力させることができる。
【０１９０】
以上の構成によれば、電子機器システム７１ではカーＡＶ装置７２及びポータブルＮＶ装置７３間で各種のステータス信号を相互にやりとりし、互いの機能を連携させることにより、マスタースレーブという相互関係ではなく相手機器の機能を相互に融合したユーザインタフェースとなり得、ポータブルＮＶ装置７３のナビゲーション音声出力をカーＡＶ装置５２の各スピーカＦＬ、ＦＲ、ＲＬ及びＲＲにより代行することにより、ポータブルＮＶ装置７３のナビゲーション音声拡張処理を操作性良く実行することができる。
【０１９１】
また電子機器システム７１では、ポータブルＮＶ装置７３を運転者の運転視線から大きくそらさせることのない車内空間の任意の位置に吸盤等で取付けた状態で、カーＡＶ装置７２とポータブルＮＶ装置７３とを相互に連携させ、ポータブルＮＶ装置７３の表示部３３を介してナビゲーションメニューリストを表示させ、カーＡＶ装置７２側からメニュー項目を選択させることができるので、運転者がポータブルＮＶ装置７３のタッチパネル入力部３４の任意の部位を押す動作に集中することなく、カーＡＶ装置７２のつまみ１４Ａを回転操作し、押下するという２つの動作のみでナビゲーション動作の設定を実行させることができる。
【０１９２】
（５）第５の実施の形態
（５−１）第５の実施の形態における電子機器システムの全体構成
図１との対応部分に同一符号を付した図１８において、８１は全体として第５の実施の形態における電子機器システムを示し、車内空間に取り付けられたカーＡＶ装置８２に対して、ポータブルＮＶ装置８３がＰＩＮケーブル８４を介して接続された構成を有している。
【０１９３】
このＰＩＮケーブル８４は、ＰＩＮケーブル４（図１）と同様に４極であるが、通信ライン端子Ｔ３及びグランド端子Ｔ４以外は、左チャンネルオーディオ端子Ｔ１及び右チャンネルオーディオ端子Ｔ２に代えて、ビデオ端子Ｔ５、Ｎ／Ａ(Non Assignment)端子Ｔ６が設けられており、通信ライン端子Ｔ３を介してカーＡＶ装置８２及びポータブルＮＶ装置８３間で各種命令やステータス信号のやりとりを行わせると共に、ビデオ端子Ｔ５を介してカーＡＶ装置８２によって再生されたＡＶコンテンツの再生映像データをポータブルＮＶ装置８３へ伝送するようになされている。
【０１９４】
カーＡＶ装置８２は、図示しない車両に取り付けられた際、その車両の車内空間的な制約等から、本体部１２の大部分がダッシュボード内に埋め込まれ、フロントパネル１３だけがダッシュボードの外部に露出するように取り付けられる。因みに、フロントパネル１３の構成については、第１の実施の形態におけるカーＡＶ装置２と同様であるため、ここではその説明を省略する。
【０１９５】
このカーＡＶ装置８２においても、車内空間における４隅に配置されたフロント左スピーカＦＬ、フロント右スピーカＦＲ、リア左スピーカＲＬ及びリア右スピーカＲＲと接続されており、ＣＤ再生音、ＤＶＤ再生音またはラジオ放送音声等を出力し得るようになされている。
【０１９６】
この電子機器システム８１では、カーＡＶ装置８２とポータブルＮＶ装置８３とがＰＩＮケーブル８４によって相互接続された場合、カーＡＶ装置８２が所持しているＡＶコンテンツの再生音声については当該カーＡＶ装置８２に接続されている各スピーカＦＬ、ＦＲ、ＲＬ及びＲＲから出力させる一方、ＡＶコンテンツの再生映像については、ポータブルＮＶ装置８３へ伝送してその表示部３３に表示させ得るようになされている。
【０１９７】
このようにカーＡＶ装置８２及びポータブルＮＶ装置８３がＰＩＮケーブル８４によって相互接続されたとき、カーＡＶ装置８２が所持しているＡＶコンテンツの再生映像をポータブルＮＶ装置８３の表示部３３に表示させ得る電子機器システム８１の回路構成について、次に説明する。
【０１９８】
（５−２）第５の実施の形態における電子機器システムの回路構成
図３との対応部分に同一符号を付した図１９に示すように、電子機器システム８１のカーＡＶ装置８２は、第１の実施の形態におけるカーＡＶ装置２（図３）と同様に、ＣＰＵ構成でなる制御用マイコン２１がメモリ２５に格納された基本プログラム及びアプリケーションプログラムに従って動作することにより全体を統括制御すると共に各種処理を実行するようになされている。
【０１９９】
実際上、カーＡＶ装置８２では、操作ボタン群１４やつまみ１４Ａを介して入力されたユーザからの命令を入力部２２によって受け付け、その命令を制御マイコン２１へ送出する。
【０２００】
カーＡＶ装置８２の制御マイコン２１は、その命令に従ってＡＶコンテンツデコード部２６によりＣＤ再生処理又はＤＶＤ再生処理を行うことによって得られた音声データに対し、ＤＳＰ部２７により所定のディジタル信号処理を施し、その結果得られる音声データをアンプ部３０により所定レベルに増幅した後ディジタルアナログ変換し、フロント左スピーカＦＬ、フロント右スピーカＦＲ、リア左スピーカＲＬ及びリア右スピーカＲＲからＣＤ再生音声又はＤＶＤ再生音声として出力する。
【０２０１】
このときカーＡＶ装置８２の制御マイコン２１は、ＡＶコンテンツデコード部２６によりＣＤ再生処理を行っているのであれば、ＣＤ再生中の楽曲タイトル、アーティスト名、再生経過時間等を表示部２３に表示し、ＡＶコンテンツデコード部２６によりＤＶＤ再生処理を行っているのであればチャプター数、ＤＶＤ再生経過時間及びＤＶＤ再生残時間等を表示部２３に表示するようになされている。
【０２０２】
一方、ポータブルＮＶ装置８３においても、第１の実施の形態におけるポータブルＮＶ装置３（図３）と同様に、ＣＰＵ構成でなる制御マイコン３１がメモリ３６に格納された基本プログラム及びアプリケーションプログラムに従って動作することにより全体を統括制御すると共に各種処理を実行するようになされている。
【０２０３】
このポータブルＮＶ装置８３は、ＡＶコンテンツデコード部３９を有しており、メモリ部３６に予め格納されているＡＶコンテンツをＡＶコンテンツデコード部３９によってデコードし、その結果得られるＡＶコンテンツの再生映像をＤＳＰ部３７を介して表示部３３に表示すると共に、そのＡＶコンテンツの再生音声データをオーディオ出力部４０経由で当該ポータブルＮＶ装置８３自身に備え付けられたスピーカ（図示せず）から出力させ得るようになされている。
【０２０４】
さらにポータブルＮＶ装置８３の制御マイコン３１は、タッチパネル入力部３４を介して入力された命令を受け付け、その命令に応じてナビゲーション部３８を動作させることにより得られたナビゲーション映像データに対して、ＤＳＰ部３７により所定のディジタル信号処理を施し、その結果得られるナビゲーション映像を表示部３３に表示するようになされている。
【０２０５】
このときポータブルＮＶ装置８３の制御マイコン３１は、ナビゲーション部３８を動作させることにより得られたナビゲーション音声データに対しては、オーディオ出力部４０経由で当該ポータブルＮＶ装置７３自身に備え付けられたスピーカ（図示せず）から出力するようになされている。
【０２０６】
ところでカーＡＶ装置８２の制御マイコン２１は、メモリ２５に格納されているＡＶコンテンツをＡＶコンテンツデコード部２６によってデコードし、その結果得られるＡＶコンテンツの再生映像データについてはビデオ出力部８５からビデオ入力部８６を介して当該ポータブルＮＶ装置８３へ伝送させ得るようになされている。
【０２０７】
ポータブルＮＶ装置８３の制御マイコン３１は、ビデオ入力部８６を介してカーＡＶ装置８２から入力したＡＶコンテンツの再生映像データを、ＤＳＰ部３７を介して表示部３３に表示し得るようになされており、これによりカーＡＶ装置８２が所持しているＡＶコンテンツの再生映像を、当該ポータブルＮＶ装置８３の表示部３３を介してユーザに目視確認させ得るようになされている。
【０２０８】
なおカーＡＶ装置８２の制御マイコン２１は、車両からパーキングブレーキ検出信号の供給を受けるようになされており、パーキングブレーキ検出信号の供給を受けているとき以外、すなわちパーキングブレーキが解除されているときはポータブルＮＶ装置８３の表示部３３にＡＶコンテンツの映像を映し出すことを禁止するステータス信号を当該ポータブルＮＶ装置８３の制御部３１へ送信し、ポータブルＮＶ装置８３の表示部３３に対するＡＶコンテンツの再生映像を表示制御し得るようになされている。
【０２０９】
このときカーＡＶ装置８２の制御マイコン２１は、ＡＶコンテンツの再生音声データについてはＤＳＰ部２７及びアンプ部３０を介してフロント左スピーカＦＬ、フロント右スピーカＦＲ、リア左スピーカＲＬ及びリア右スピーカＲＲからＡＶコンテンツの再生音声として４ｃｈに拡張して出力し得るようになされている。
【０２１０】
このような構成の電子機器システム８１において、カーＡＶ装置８２の制御マイコン２１及びポータブルＮＶ装置８３の制御マイコン３１が共通の処理プログラムに従って互いに連携しながら動作することにより、カーＡＶ装置８２によるＡＶコンテンツの再生音声については、自身の各スピーカＦＬ、ＦＲ、ＲＬ及びＲＲから出力するものの、ＡＶコンテンツの再生映像についてはポータブルＮＶ装置８３の表示部３３を用いて表示させるカーＡＶコンテンツ映像表示処理手順について以下説明する。
【０２１１】
（５−３）第５の実施の形態における電子機器システムのＡＶコンテンツ映像表示処理手順
このような基本構成でなる電子機器システム８１では、図２０に示すように、ステップＳＰ１０１においてポータブルＮＶ装置８３の制御マイコン３１は、ユーザの操作によりカーＡＶコンテンツ入力モードが選択されたことを認識すると、カーＡＶコンテンツ入力モードの初期ステータス信号をＰＩＮケーブル８４の通信ライン端子Ｔ３によりカーＡＶ装置８２へ送信し、次のステップＳＰ１０２へ移る。
【０２１２】
ステップＳＰ１０２においてカーＡＶ装置８２の制御マイコン２１は、カーＡＶコンテンツ入力モードの初期ステータス信号をポータブルＮＶ装置８３から受け取ったので、当該カーＡＶ装置８２のメモリ２５にカーＡＶコンテンツが格納されていることを確認し、次のステップＳＰ１０３へ移る。
【０２１３】
ステップＳＰ１０３においてカーＡＶ装置８２の制御マイコン２１は、ポータブルＮＶ装置８３におけるカーＡＶコンテンツの有無を示すステータス信号をＰＩＮケーブル８４の通信ライン端子Ｔ３によりポータブルＮＶ装置８３へ送信し、次のステップＳＰ１０４へ移る。
【０２１４】
ステップＳＰ１０４においてポータブルＮＶ装置８３の制御マイコン３１は、カーＡＶ装置８２の制御マイコン２１から受け取ったステータス信号に従い、ビデオ入力部８６をカーＡＶ装置８２からの入力に切り替えると共に、カーＡＶ装置操作可能なタッチパネルモードに切り替え、次のステップＳＰ１０５へ移る。
【０２１５】
ステップＳＰ１０５においてポータブルＮＶ装置８３の制御マイコン３１は、表示部３３に表示されたタッチパネルメニューからカーＡＶコンテンツのリスト表示を行う旨の項目が選択されたことを認識すると、カーＡＶコンテンツリスト表示のステータスをＰＩＮケーブル８４の通信ライン端子Ｔ３によりカーＡＶ装置８２へ送信し、次のステップＳＰ１０６へ移る。
【０２１６】
ステップＳＰ１０６においてカーＡＶ装置８２の制御マイコン２１は、カーＡＶコンテンツのリスト画面映像データをメモリ２５から読み出し、それを出力する旨のステータス信号を４極ＰＩＮケーブル８４の通信ライン端子Ｔ３によりポータブルＮＶ装置８３へ送信すると共に、そのリスト画面映像データを４極ＰＩＮケーブル８４のビデオ端子Ｔ５によりポータブルＮＶ装置８３へ送信し、次のステップＳＰ１０７へ移る。
【０２１７】
ステップＳＰ１０７においてポータブルＮＶ装置８３の制御マイコン３１は、タッチパネル入力部３４をカーＡＶコンテンツのリスト画面に対応した入力モードに切り替え、その中から再生希望のカーＡＶコンテンツがタッチパネル入力部３４により選択されたことを認識すると、その選択結果を示すステータス信号をＰＩＮケーブル８４の通信ライン端子Ｔ３によりカーＡＶ装置８２へ送信し、次のステップＳＰ１０８へ移る。
【０２１８】
ステップＳＰ１０８においてカーＡＶ装置８２の制御マイコン２１は、ポータブルＮＶ装置８３から受け取ったステータス信号に従って、選択されたカーＡＶコンテンツを再生開始し、その再生開始のステータス信号をＰＩＮケーブル８４の通信ライン端子Ｔ３によりポータブルＮＶ装置８３へ送信すると共に、再生したカーＡＶコンテンツの映像データをＰＩＮケーブル８４のビデオ端子Ｔ５によりポータブルＮＶ装置８３へ送信し、次のステップＳＰ１０９へ移る。
【０２１９】
ちなみにカーＡＶ装置８２の制御マイコン２１は、このとき同時に再生したカーＡＶコンテンツの再生音声データをＤＳＰ部２７及びアンプ部３０を介して各スピーカＦＬ、ＦＲ、ＲＬ及びＲＲから出力する。
【０２２０】
ステップＳＰ１０９においてポータブルＮＶ装置８３の制御マイコン３１は、カーＡＶ装置８２から受け取った再生開始のステータス信号に従って、カーＡＶコンテンツに合わせた画像処理をＤＳＰ部３７で施し、その結果得られるカーＡＶコンテンツの再生映像を表示部３３に表示し、次のステップＳＰ１１０へ移る。
【０２２１】
ステップＳＰ１１０においてポータブルＮＶ装置８３の制御マイコン３１は、タッチパネル入力部３４を介して停止操作が行われたことを認識すると、再生停止のステータス信号をＰＩＮケーブル８４の通信ライン端子Ｔ３によりカーＡＶ装置８２へ送信し、次のステップＳＰ１１１へ移る。
【０２２２】
ステップＳＰ１１１においてカーＡＶ装置８２の制御マイコン２１は、ポータブルＮＶ装置８３から受け取った再生停止のステータス信号に従って再生中のカーＡＶコンテンツを停止し、その旨のステータス信号をＰＩＮケーブル８４の通信ライン端子Ｔ３によりポータブルＮＶ装置８３へ送信し、次のステップＳＰ１１２へ移ってカーＡＶ装置８２の処理を終了する。
【０２２３】
一方、ステップＳＰ１１３においてポータブルＮＶ装置８３の制御マイコン３１は、カーＡＶ装置８２から受け取ったカーＡＶコンテンツ再生停止のステータス信号に従って、カーＡＶコンテンツの映像データの供給が終了したことを認識すると、表示部３３に表示する内容を本来のナビゲーションモードのナビゲーション映像に切り替え、次のステップＳＰ１１４へ移ってポータブルＮＶ装置８３の処理を終了する。
【０２２４】
（５−４）第５の実施の形態における動作及び効果
以上の構成において、電子機器システム８１では、カーＡＶ装置８２とポータブルＮＶ装置８３とがＰＩＮケーブル８４を介して相互通信可能な状態に接続されたとき、ポータブルＮＶ装置８３からカーＡＶ装置８２へカーＡＶコンテンツ入力モードの初期ステータス信号を送信し、当該カーＡＶ装置８２の制御マイコン２１にカーＡＶコンテンツ入力モードの初期ステータス信号を認識させることにより、カーＡＶ装置８２に対してカーＡＶコンテンツの有無や、ポータブルＮＶ装置８３との接続状態を確認させることができる。
【０２２５】
すなわち電子機器システム８１では、ポータブルＮＶ装置８３からカーＡＶ装置８２におけるカーＡＶコンテンツの有無や当該ポータブルＮＶ装置８３との接続状態を外部操作により確認し得、その後タッチパネル入力部３４に対するユーザの操作により、カーＡＶ装置８２が所持しているカーＡＶコンテンツのリスト画面の供給を受けて自身の表示部３３に表示させることができる。
【０２２６】
そしてポータブルＮＶ装置８３の制御マイコン３１は、カーＡＶコンテンツのリスト画面のなかから選択したカーＡＶコンテンツの映像データをカーＡＶ装置８２へ要求し、その要求に応じてカーＡＶ装置８２から供給されたカーＡＶコンテンツの再生映像データをＰＩＮケーブル８４経由で受け取って、表示部３３に表示させることができる。
【０２２７】
このように電子機器システム８１では、ポータブルＮＶ装置８３によって選択されたカーＡＶコンテンツの再生音声についてはカーＡＶ装置８２の各スピーカＦＬ、ＦＲ、ＲＬ及びＲＲから出力する一方で、カーＡＶコンテンツの再生映像についてはカーＡＶ装置８２の表示部２３の代わりに、再生映像の供給を受けたポータブルＮＶ装置８３の表示部３３に表示させることができる。
【０２２８】
以上の構成によれば、電子機器システム８１ではカーＡＶ装置８２及びポータブルＮＶ装置８３間で各種のステータス信号を相互にやりとりし、互いの機能を連携させることにより、マスタースレーブという相互関係ではなく相手機器の機能を相互に融合したユーザインタフェースとなり得、カーＡＶ装置８２のカーＡＶコンテンツに対する再生映像をポータブルＮＶ装置８３の表示部３３を用いて表示させることにより、カーＡＶ装置８２による再生映像を視認性に優れた表示結果としてユーザに提示することができる。
【０２２９】
また電子機器システム８１では、カーＡＶ装置８２が車内空間のエアーコンディショナーの吹出口や、エアーコンディショナー操作パネル下の運転者が運転視線から目をそらすような予め決められた場所に取付固定されるのに対し、ポータブルＮＶ装置８３を運転者の運転視線から大きくそらさせることのない車内空間の任意の位置に吸盤等で取付けた状態で、カーＡＶ装置８２とポータブルＮＶ装置８３とを相互に連携させ、ポータブルＮＶ装置８３の表示部３３を介してカーＡＶ装置８２のカーＡＶコンテンツのリスト画面を表示させることにより、そのカーＡＶコンテンツのリスト画面の中から再生対象のカーＡＶコンテンツを選択させることができるので、運転者の運転視線をそらさせることなく所望のカーＡＶコンテンツを再生させることができる。
【０２３０】
（６）第６の実施の形態
（６−１）第６の実施の形態における電子機器システムの全体構成
図１との対応部分に同一符号を付した図２１において、９１は全体として第６の実施の形態における電子機器システムを示し、車内空間に取り付けられたカーＡＶ装置９２に対して、ポータブルＮＶ装置９３がＰＩＮケーブル８４を介して接続され、当該カーＡＶ装置９２に対してポータブルＡＶプレーヤ９４がＵＳＢ(Universal Serial Bus)ケーブル９５によってＵＳＢ接続された構成を有している。
【０２３１】
ＰＩＮケーブル８４は、第５の実施の形態で示したものと同じであり、ビデオ端子Ｔ５、Ｎ／Ａ端子Ｔ６、通信ライン端子Ｔ３及びグランド端子Ｔ４を有し、通信ライン端子Ｔ３を介してカーＡＶ装置９２及びポータブルＮＶ装置９３間で各種命令やステータス信号のやりとりを行わせると共に、ビデオ端子Ｔ５を介してカーＡＶ装置９２から供給されるＡＶコンテンの再生映像データをポータブルＮＶ装置９３へ伝送するようになされている。
【０２３２】
カーＡＶ装置９２は、図示しない車両に取り付けられた際、その車両の車内空間的な制約等から、本体部１２の大部分がダッシュボード内に埋め込まれ、フロントパネル１３だけがダッシュボードの外部に露出するように取り付けられる。因みに、フロントパネル１３の構成については、第１の実施の形態におけるカーＡＶ装置２と同様であるため、ここではその説明を省略する。
【０２３３】
このカーＡＶ装置９２においても、車内空間における４隅に配置されたフロント左スピーカＦＬ、フロント右スピーカＦＲ、リア左スピーカＲＬ及びリア右スピーカＲＲと接続されており、ＣＤ再生音、ＤＶＤ再生音またはラジオ放送音声等を出力し得るようになされている。
【０２３４】
この電子機器システム９１では、カーＡＶ装置９２とポータブルＮＶ装置９３とがＰＩＮケーブル８４によって相互に接続され、かつカーＡＶ装置９２とポータブルＡＶプレーヤ９４とがＵＳＢ接続された場合、当該ポータブルＡＶプレーヤ９４によって再生したＡＶコンテンツの再生映像についてはポータブルＮＶ装置９３の表示部３３を代用して拡大表示し、再生音声についてはカーＡＶ装置９２の各スピーカＦＬ、ＦＲ、ＲＬ及びＲＲを代用して４ｃｈに拡張出力させ得るようになされている。
【０２３５】
このようにカーＡＶ装置９２及びポータブルＮＶ装置９３がＰＩＮケーブル８４によって相互接続され、かつカーＡＶ装置９２とポータブルＡＶプレーヤ９４とがＵＳＢ接続されたとき、ポータブルＡＶプレーヤ９４によるＡＶコンテンツの再生映像をポータブルＮＶ装置９３の表示部３３に拡大表示させ、再生音声をカーＡＶ装置５２の各スピーカＦＬ、ＦＲ、ＲＬ及びＲＲから４ｃｈに拡張出力させる電子機器システム９１の回路構成について、次に説明する。
【０２３６】
（６−２）第６の実施の形態における電子機器システムの回路構成
図３との対応部分に同一符号を付した図２２に示すように、電子機器システム９１のカーＡＶ装置９２は、第１の実施の形態におけるカーＡＶ装置２（図３）と同様に、ＣＰＵ構成でなる制御用マイコン２１がメモリ２５に格納された基本プログラム及びアプリケーションプログラムに従って動作することにより全体を統括制御すると共に各種処理を実行するようになされている。
【０２３７】
実際上、カーＡＶ装置９２では、操作ボタン群１４やつまみ１４Ａを介して入力されたユーザからの命令を入力部２２によって受け付け、その命令を制御マイコン２１へ送出する。
【０２３８】
カーＡＶ装置９２の制御マイコン２１は、その命令に従ってＡＶコンテンツデコード部２６によりＣＤ再生処理又はＤＶＤ再生処理を行うことによって得られた音声データに対し、ＤＳＰ部２７により所定のディジタル信号処理を施し、その結果得られる音声データをアンプ部３０により所定レベルに増幅した後ディジタルアナログ変換し、フロント左スピーカＦＬ、フロント右スピーカＦＲ、リア左スピーカＲＬ及びリア右スピーカＲＲからＣＤ再生音声又はＤＶＤ再生音声として出力する。
【０２３９】
このときカーＡＶ装置９２の制御マイコン２１は、ＡＶコンテンツデコード部２６によりＣＤ再生処理を行っているのであれば、ＣＤ再生中の楽曲タイトル、アーティスト名、再生経過時間等を表示部２３に表示し、ＡＶコンテンツデコード部２６によりＤＶＤ再生処理を行っているのであればチャプター数、ＤＶＤ再生経過時間及びＤＶＤ再生残時間等を表示部２３に表示するようになされている。
【０２４０】
一方、ポータブルＮＶ装置９３においても、第１の実施の形態におけるポータブルＮＶ装置３（図３）と同様に、ＣＰＵ構成でなる制御マイコン３１がメモリ３６に格納された基本プログラム及びアプリケーションプログラムに従って動作することにより全体を統括制御すると共に各種処理を実行するようになされている。
【０２４１】
このポータブルＮＶ装置９３は、ＡＶコンテンツデコード部３９を有しており、メモリ部３６に格納されているＡＶコンテンツをＡＶコンテンツデコード部３９によってデコードし、その結果得られるＡＶコンテンツの映像をＤＳＰ部３７を介して表示部３３に表示すると共に、そのＡＶコンテンツの音声データをオーディオ出力部４０経由で当該ポータブルＮＶ装置８３自身に備え付けられたスピーカ（図示せず）から出力させ得るようになされている。
【０２４２】
さらにポータブルＮＶ装置９３の制御マイコン３１は、タッチパネル入力部３４を介して入力された命令を受け付け、その命令に応じてナビゲーション部３８を動作させることにより得られたナビゲーション映像データに対して、ＤＳＰ部３７により所定のディジタル信号処理を施し、その結果得られるナビゲーション映像を表示部３３に表示するようになされている。
【０２４３】
このときポータブルＮＶ装置９３の制御マイコン３１は、ナビゲーション部３８を動作させることにより得られたナビゲーション音声データに対しては、オーディオ出力部４０経由で当該ポータブルＮＶ装置７３自身に備え付けられたスピーカ（図示せず）から出力するようになされている。
【０２４４】
ところでカーＡＶ装置９２の制御マイコン２１は、ＵＳＢ接続されたポータブルＡＶプレーヤ９４によって再生したＡＶコンテンツの映像データ及び音声データを通信インタフェース９６により取り込み、その映像データについてはビデオ出力部８５からビデオ入力部８６を介して当該ポータブルＮＶ装置９３へ出力させ得るようになされている。
【０２４５】
ポータブルＮＶ装置９３の制御マイコン３１は、ビデオ入力部８６を介してカーＡＶ装置９２から入力したＡＶコンテンツの再生映像データを、ＤＳＰ部３７を介して表示部３３に表示し得るようになされており、これによりポータブルＡＶプレーヤ９４が所持しているＡＶコンテンツの再生映像を、カーＡＶ装置９２を経由して当該ポータブルＮＶ装置９３の表示部３３に表示させ、ユーザに大きな再生映像として目視確認させ得るようになされている。
【０２４６】
このときカーＡＶ装置９２の制御マイコン２１は、通信インタフェース９６から取り込んだポータブルＡＶプレーヤ９３によるＡＶコンテンツの再生音声データについてはＤＳＰ部２７及びアンプ部３０を介してフロント左スピーカＦＬ、フロント右スピーカＦＲ、リア左スピーカＲＬ及びリア右スピーカＲＲから４ｃｈの再生音声として拡張出力し得るようになされている。
【０２４７】
なおカーＡＶ装置９２の制御マイコン２１は、車両からパーキングブレーキ検出信号の供給を受けるようになされており、パーキングブレーキ検出信号の供給を受けているとき以外、すなわちパーキングブレーキが解除されているときはポータブルＮＶ装置９３の表示部３３にポータブルＡＶプレーヤ９４が再生したＡＶコンテンツの再生映像を映し出すことを禁止するステータス信号を当該ポータブルＮＶ装置９３の制御部３１へ送信し、カーＡＶ装置９２からポータブルＡＶプレーヤ９４によるＡＶコンテンツの再生映像を表示制御し得るようになされている。
【０２４８】
このような構成の電子機器システム９１において、カーＡＶ装置９２の制御マイコン２１及びポータブルＮＶ装置９３の制御マイコン３１が共通の処理プログラムに従って互いに連携しながら動作することにより、ポータブルＡＶプレーヤ９４によって再生したＡＶコンテンツの再生映像をポータブルＮＶ装置９３の表示部３３に表示する一方、再生音声をカーＡＶ装置９２の各スピーカＦＬ、ＦＲ、ＲＬ及びＲＲから４ｃｈに拡張出力させ得るポータブルＡＶプレーヤの映像及び音声出力処理手順について以下説明する。
【０２４９】
（６−３）第６の実施の形態における電子機器システムのポータブルＡＶプレーヤによる映像及び音声出力処理手順
このような基本構成でなる電子機器システム９１では、カーＡＶ装置９２とポータブルＮＶ装置９３とが連携し、第４の実施の形態に示したように、ポータブルＮＶ装置９３によるナビゲーション音声をカーＡＶ装置９２の各スピーカＦＬ、ＦＲ、ＲＬ及びＲＲから出力中、図２３に示すように、ステップＳＰ１２１においてカーＡＶ装置９２の制御マイコン２１は、ポータブルＡＶプレーヤ９４とＵＳＢ接続することにより当該カーＡＶ装置９２とポータブルＡＶプレーヤ９４との通信リンクを確立すると、その旨の初期ステータス信号をＰＩＮケーブル８４の通信ライン端子Ｔ３によりポータブルＮＶ装置９３へ送信し、次のステップＳＰ１２２へ移る。
【０２５０】
ステップＳＰ１２２においてポータブルＮＶ装置９３の制御マイコン３１は、カーＡＶ装置９２から受け取った初期ステータス信号に基づいてＡＶコンテンツ入力モードが選択されたことを認識すると、ポータブルＡＶプレーヤ９４の状態を確認するための状態確認ステータス信号を生成し、これをＰＩＮケーブル８４の通信ライン端子Ｔ３によりカーＡＶ装置９２へ送信し、次のステップＳＰ１２３へ移る。
【０２５１】
ステップＳＰ１２３においてカーＡＶ装置９２の制御マイコン２１は、ポータブルＮＶ装置９３から受け取った状態確認ステータス信号に従って、ポータブルＡＶプレーヤ９４との接続状態及び当該ポータブルＡＶプレーヤ９４のＡＶコンテンツ有無等の状態確認を行い、その状態を意味するステータス信号をＰＩＮケーブル８４の通信ライン端子Ｔ３によりポータブルＮＶ装置９３へ送信し、次のステップＳＰ１２４へ移る。
【０２５２】
ステップＳＰ１２４においてポータブルＮＶ装置９３の制御マイコン３１は、カーＡＶ装置９２からのステータス信号に従って、ビデオ入力部８６のビデオ入力を、カーＡＶ装置９２のビデオ部８５から出力されるポータブルＡＶプレーヤ９４の映像入力に切り替え、ポータブルＡＶプレーヤ操作可能なタッチパネルモードに切り替え、次のステップＳＰ１２５へ移る。
【０２５３】
ステップＳＰ１２５においてポータブルＮＶ装置９３の制御マイコン３１は、タッチパネルのメニューからポータブルＡＶプレーヤ９４のコンテンツリスト表示を行う旨の項目が選択されたことを認識すると、コンテンツリスト表示のステータスをＰＩＮケーブル８４の通信ライン端子Ｔ３によりカーＡＶ装置９２へ送信し、次のステップＳＰ１２６へ移る。
【０２５４】
ステップＳＰ１２６においてカーＡＶ装置９２の制御マイコン２１は、ポータブルＡＶプレーヤ９４のコンテンツリスト表示画面を起動させて読み出し、当該コンテンツリスト表示画面を出力するステータス信号をＰＩＮケーブル８４の通信ライン端子Ｔ３によりポータブルＮＶ装置９３へ送信すると共に、そのコンテンツリスト表示画面の画像データをＰＩＮケーブル８４のビデオ端子Ｔ５によりポータブルＮＶ装置９３へ送信し、次のステップＳＰ１２７へ移る。
【０２５５】
ステップＳＰ１２７においてポータブルＮＶ装置９３の制御マイコン３１は、タッチパネル入力部３４をポータブルＡＶプレーヤ９４のコンテンツリスト表示画面に対応した入力モードに切り替え、その中から再生希望のＡＶコンテンツが選択されたことを認識すると、その選択結果を示すステータス信号をＰＩＮケーブル８４の通信ライン端子Ｔ３によりカーＡＶ装置９２へ送信し、次のステップＳＰ１２８へ移る。
【０２５６】
ステップＳＰ１２８においてカーＡＶ装置９２の制御マイコン２１は、ポータブルＮＶ装置９３から受け取ったステータス信号に従って、選択されたＡＶコンテンツをポータブルＡＶプレーヤ９４に再生させ、その再生音声を当該カーＡＶ装置９２の各スピーカＦＬ、ＦＲ、ＲＬ及びＲＲから４ｃｈに拡張出力すると共に、その再生処理のステータス信号をＰＩＮケーブル８４の通信ライン端子Ｔ３によりポータブルＮＶ装置９３へ送信し、かつＡＶコンテンツの再生映像データをＰＩＮケーブル８４のビデオ端子Ｔ５によりポータブルＮＶ装置９３へ送信し、次のステップＳＰ１２９へ移る。
【０２５７】
ステップＳＰ１２９においてポータブルＮＶ装置９３の制御マイコン３１は、カーＡＶ装置９２から受け取った再生処理のステータス信号に従って、ＡＶコンテンツの再生映像データに対して所定の画像処理をＤＳＰ部３７により施し、その結果得られるＡＶコンテンツの再生映像を表示部３３に表示し、次のステップＳＰ１３０へ移る。
【０２５８】
ステップＳＰ１３０においてポータブルＮＶ装置９３の制御マイコン３１は、タッチパネル入力部３４を介して停止操作が行われたことを認識すると、再生停止のステータス信号をＰＩＮケーブル８４の通信ライン端子Ｔ３によりカーＡＶ装置９２へ送信し、次のステップＳＰ１３１へ移る。
【０２５９】
ステップＳＰ１３１においてカーＡＶ装置９２の制御マイコン２１は、ポータブルＮＶ装置９３から受け取った再生停止のステータス信号に従って、ポータブルＡＶプレーヤ９４によるＡＶコンテンツの再生を停止し、その旨のステータス信号をＰＩＮケーブル８４の通信ライン端子Ｔ３によりポータブルＮＶ装置９３へ送信すると共に、各スピーカＦＬ、ＦＲ、ＲＬ及びＲＲからの音声出力をナビゲーション音声案内に戻し、次のステップＳＰ１３２へ移ってカーＡＶ装置９２の処理を終了する。
【０２６０】
一方、ステップＳＰ１３３においてポータブルＮＶ装置９３の制御マイコン３１は、カーＡＶ装置９２から受け取ったＡＶコンテンツ再生停止のステータス信号に従って、カーＡＶ装置９２からポータブルＡＶプレーヤ９４によるＡＶコンテンツの再生映像データの供給が終了したことを認識すると、表示部３３に表示する内容を本来のナビゲーションモードのナビゲーション映像に戻し、次のステップＳＰ１３４へ移ってポータブルＮＶ装置９３の処理を終了する。
【０２６１】
（６−４）第６の実施の形態における動作及び効果
以上の構成において、電子機器システム９１では、カーＡＶ装置９２とポータブルＮＶ装置９３とがＰＩＮケーブル８４を介して相互通信可能な状態に接続され、かつカーＡＶ装置９２とポータブルＡＶプレーヤ９４とがＵＳＢ接続されたとき、カーＡＶ装置９２からのステータス信号に従って、ポータブルＮＶ装置９３からカーＡＶ装置９２を介してポータブルＡＶプレーヤ９４を操作可能なタッチパネルモードに切り替えさせることができる。
【０２６２】
そしてポータブルＮＶ装置９３の制御マイコン３１は、コンテンツリスト表示のステータス信号をカーＡＶ装置９２へ送信し、当該カーＡＶ装置９２からポータブルＡＶプレーヤ９４のコンテンツリスト表示画面を受信することにより、ポータブルＡＶプレーヤ９４のコンテンツリストを表示部３３に表示させ、当該表示部３３の画面上でポータブルＡＶプレーヤ９４による再生対象のＡＶコンテンツをユーザに選択させることができる。
【０２６３】
このときカーＡＶ装置９２の制御マイコン２１は、ポータブルＮＶ装置９３から受信したＡＶコンテンツ選択のステータス信号に従って、ユーザに選択されたＡＶコンテンツをポータブルＡＶプレーヤ９４によって再生させ、その再生音声については各スピーカＦＬ、ＦＲ、ＲＬ及びＲＲから４ｃｈに拡張して出力させると共に、ポータブルＡＶプレーヤ９４により再生されたＡＶコンテンツの再生映像データをポータブルＮＶ装置９３へ送信することにより、当該ＡＶコンテンツの再生映像についてはポータブルＮＶ装置９３の表示部３３に表示させることができる。
【０２６４】
すなわち電子機器システム９１では、ポータブルＮＶ装置９３からカーＡＶ装置９２とＵＳＢ接続されたポータブルＡＶプレーヤ９４を外部操作してユーザ所望のＡＶコンテンツを再生させ、その再生音声をカーＡＶ装置９２の各スピーカＦＬ、ＦＲ、ＲＬ及びＲＲから４ｃｈに拡張出力し得ると共に、再生映像をポータブルＡＶプレーヤ９４の小さな画面ではなくポータブルＮＶ装置９３の大きな表示部３３に拡大した状態で表示させることができる。
【０２６５】
以上の構成によれば、電子機器システム９１ではカーＡＶ装置９２及びポータブルＮＶ装置９３間で各種のステータス信号を相互にやりとりし、互いの機能を連携させることにより、マスタースレーブという相互関係ではなく相手機器の機能を相互に融合したユーザインタフェースとなり得、ポータブルＡＶプレーヤ９４により再生したＡＶコンテンツの再生音声についてはカーＡＶ装置９２の各スピーカＦＬ、ＦＲ、ＲＬ及びＲＲから出力させる一方、再生映像についてはポータブルＡＶプレーヤ９４の画面ではなくポータブルＮＶ装置９３の表示部３３に対して表示させることにより、ポータブルＡＶプレーヤ９４による再生音声及び再生映像をカーＡＶ装置９２及びポータブルＮＶ装置９３の各機能を有効活用して代行出力させることができる。
【０２６６】
また電子機器システム９１では、カーＡＶ装置９２が車内空間のエアーコンディショナーの吹出口や、エアーコンディショナー操作パネル下の運転者が運転視線から目をそらすような予め決められた場所に取付固定されるのに対し、ポータブルＮＶ装置９３を運転者の運転視線から大きくそらさせることのない車内空間の任意の位置に吸盤等で取付けた状態で、カーＡＶ装置９２とポータブルＮＶ装置９３とを相互に連携させ、ポータブルＮＶ装置９３の表示部３３を介してポータブルＡＶプレーヤ９４のコンテンツリスト表示画面を表示させることにより、そのコンテンツリスト表示画面の中から再生対象のＡＶコンテンツを選択させることができるので、運転者の運転視線をそらさせることなくポータブルＡＶプレーヤ９４が所持するＡＶコンテンツを選択して再生処理させることができる。
【０２６７】
（７）他の実施の形態
なお上述の第１乃至第６の実施の形態においては、カーＡＶ装置２、５２、６２、７２、８２、９２と、ポータブルＮＶ装置３、５３、６３、７３、８３、９３とをＰＩＮケーブル４又は８４によって相互接続し、各種のステータス信号を相互にやりとりし、互いの機能を連携させるようにした場合について述べたが、本発明はこれに限らず、図２１との対応部分に同一符号を付した図２４に示すように、ポータブルＡＶプレーヤ９４とカーＡＶ装置９２とを３極のＰＩＮケーブル１０２によって接続するようにしても良い。
【０２６８】
このＰＩＮケーブル１０２は、左チャンネルオーディオ端子Ｔ１、右チャンネルオーディオ端子Ｔ２及びグランド端子Ｔ４を有するものの、ＰＩＮケーブル４、８４のように通信ライン端子Ｔ３が存在しないため、ポータブルＡＶ装置９４とカーＡＶ装置９２とが相互にステータス信号をやりとりすることはできない。
【０２６９】
しかしながらカーＡＶ装置９２の制御マイコン２１は、ポータブルＡＶプレーヤ９４によって再生されたＡＶコンテンツの再生音声を、ＰＩＮケーブル１０２を介して取り込み、ＤＳＰ部２７及びアンプ部３０を介して各スピーカＦＬ、ＦＲ、ＲＬ及びＲＲから４ｃｈに拡張して出力し得るようになされている。
【０２７０】
また上述の第１乃至第６の実施の形態においては、カーＡＶ装置２、５２、６２、７２、８２、９２を用いるようにした場合について述べたが、本発明はこれに限らず、ホームオーディオ装置を用いるようにしても良い。
【０２７１】
さらに上述の第１及び第３の実施の形態においては、携帯電話機５とポータブルＮＶ装置３、６３とをブルートゥースでなる通信処理部３２によって無線の通信リンクを確立するようにした場合について述べたが、本発明はこれに限らず、IEEE802.11b, IEEE802.11g等の無線ＬＡＮ(Local Area Network)規格に準拠した通信処理部や、ＵＷＢ(Ultra Wide Band)に準拠した通信処理部によって携帯電話機５とポータブルＮＶ装置３、６３との間に無線の通信リンクを確立するようにしても良い。
【０２７２】
さらに上述の第１乃至第６の実施の形態においては、カーＡＶ装置２、５２、６２、７２、８２、９２が予めメモリ２５に格納されている処理プログラムを起動し、及びポータブルＮＶ装置３、５３、６３、７３、８３、９３が予めメモリ３６に格納されている共通の処理プログラムを起動することにより、相互にステータス信号をやりとりし、互いの機能を連携及び融合したユーザインタフェースを生成するようにした場合について述べたが、本発明はこれに限らず、記録媒体からインストールした処理プログラムや、インターネットからダウンロードした処理プログラムに従って相互にステータス信号をやりとりし、互いの機能を連携及び融合したユーザインタフェースを生成するようにしても良い。
【０２７３】
さらに上述の実施の形態においては、カーＡＶ装置２、５２、６２、７２、８２、９２と、ポータブルＮＶ装置３、５３、６３、７３、８３、９３とをＰＩＮケーブル４又は８４により有線で相互接続するようにした場合について述べたが、本発明はこれに限らず、ブルートゥース、IEEE802.11b, IEEE802.11g等の無線ＬＡＮ規格や、ＵＷＢに準拠した通信処理部により無線で相互接続するようにしても良い。
【０２７４】
さらに上述の実施の形態においては、第１電子機器としてのカーＡＶ装置２、５２、６２、７２、８２、９２を、第１通信手段としてのＰＩＮケーブル４、８４と、第１認識手段及び第１処理手段としての制御マイコン２１によって構成し、第２電子機器としてのポータブルＮＶ装置３、５３、６３、７３、８３、９３を第２通信手段としてのＰＩＮケーブル４、８４と、第２認識手段及び第２処理手段としての制御マイコン３１によって構成するようにした場合について述べたが、本発明はこれに限らず、その他種々の回路構成により第１電子機器及び第２電子機器を構成するようにしても良い。
【産業上の利用可能性】
【０２７５】
本発明の電子機器システム、電子機器、処理方法及び処理プログラムは、例えば互いに独立した２種類の電子機器同士を接続する場合に適用することができる。
【図面の簡単な説明】
【０２７６】
【図１】第１の実施の形態における電子機器システムの全体構成を示す略線図である。
【図２】カーＡＶ装置の外観構成を示す略線的斜視図である。
【図３】第１の実施の形態における電子機器システムの回路構成を示す略線的ブロック図である。
【図４】第１の実施の形態における電子機器システムのハンズフリー処理手順（１）を示すシーケンスチャートである。
【図５】第１の実施の形態における電子機器システムのハンズフリー処理手順（２）を示すシーケンスチャートである。
【図６】第２の実施の形態における電子機器システムの全体構成を示す略線図である。
【図７】第２の実施の形態における電子機器システムの回路構成を示す略線的ブロック図である。
【図８】第２の実施の形態における電子機器システムの音声拡張処理手順（１）を示すシーケンスチャートである。
【図９】第２の実施の形態における電子機器システムの音声拡張処理手順（２）を示すシーケンスチャートである。
【図１０】第３の実施の形態における電子機器システムの全体構成を示す略線図である。
【図１１】第３の実施の形態における電子機器システムの回路構成を示す略線的ブロック図である。
【図１２】第３の実施の形態における電子機器システムのストリーミング再生処理手順（１）を示すシーケンスチャートである。
【図１３】第３の実施の形態における電子機器システムのストリーミング再生処理手順（２）を示すシーケンスチャートである。
【図１４】第４の実施の形態における電子機器システムの全体構成を示す略線図である。
【図１５】第４の実施の形態における電子機器システムの回路構成を示す略線的ブロック図である。
【図１６】第４の実施の形態における電子機器システムのナビゲーション音声拡張処理手順（１）を示すシーケンスチャートである。
【図１７】第４の実施の形態における電子機器システムのナビゲーション音声拡張処理手順（２）を示すシーケンスチャートである。
【図１８】第５の実施の形態における電子機器システムの全体構成を示す略線図である。
【図１９】第５の実施の形態における電子機器システムの回路構成を示す略線的ブロック図である。
【図２０】第５の実施の形態における電子機器システムのカーＡＶコンテンツ映像表示処理手順を示すシーケンスチャートである。
【図２１】第６の実施の形態における電子機器システムの全体構成を示す略線図である。
【図２２】第６の実施の形態における電子機器システムの回路構成を示す略線的ブロック図である。
【図２３】第６の実施の形態における電子機器システムのポータブルＡＶプレーヤによる映像及び音声出力処理手順を示すシーケンスチャートである。
【図２４】他の実施の形態における電子機器システムの全体構成を示す略線図である。
【符号の説明】
【０２７７】
１……電子機器システム、２、５２、６２、７２、８２、９２……カーＡＶ装置、３、５３、６３、７３、８３、９３……ポータブルＮＶ装置、４、８４……ＰＩＮケーブル、５……携帯電話機、１２……本体部、１３……フロントパネル、１４……操作ボタン群、１５……表示部、１６……フロントパネル支持板、１７……ＵＳＢソケット、２１、３１……制御マイコン、２２……入力部、２３、３３……表示部、２５、３６……メモリ、２６、３９……ＡＶコンテンツでコード部、２７、３６……ＤＳＰ部、２８……オーディオ入力部、３２……通信処理部、３４……タッチパネル入力部、３８……ナビゲーション部、４０……オーディオ出力部、８５……ビデオ出力部、８６……ビデオ入力部、９４……ポータブルＡＶプレーヤ、９５……ＵＳＢケーブル。
【図１】
2008228092.tif 000003
【図２】
2008228092.tif 000004
【図３】
2008228092.tif 000005
【図４】
2008228092.tif 000006
【図５】
2008228092.tif 000007
【図６】
2008228092.tif 000008
【図７】
2008228092.tif 000009
【図８】
2008228092.tif 000010
【図９】
2008228092.tif 000011
【図１０】
2008228092.tif 000012
【図１１】
2008228092.tif 000013
【図１２】
2008228092.tif 000014
【図１３】
2008228092.tif 000015
【図１４】
2008228092.tif 000016
【図１５】
2008228092.tif 000017
【図１６】
2008228092.tif 000018
【図１７】
2008228092.tif 000019
【図１８】
2008228092.tif 000020
【図１９】
2008228092.tif 000021
【図２０】
2008228092.tif 000022
【図２１】
2008228092.tif 000023
【図２２】
2008228092.tif 000024
【図２３】
2008228092.tif 000025
【図２４】
2008228092.tif 000026